(57)【要約】  アッパー（１００）を有する履物用品（１０）のソール構造（２００）であって、ヒール領域（１４、１６、３１５）、前足領域（１２）、ヒール領域（１４、１６、３１５）と前足領域（１２）との間に配置された中足領域を含んでなる。ソール構造（２００）は、また、ヒール領域（１４、１６、３１５）内でソール構造（２００）の内側の側部（２０）に沿って延びる第１の流体充填セグメントと、ヒール領域（１４、１６、３１５）内でソール構造（２００）の外側の側部（１８）に沿って延びる第２の流体充填セグメントと、第１の流体充填セグメントと第２の流体充填セグメントとの間に配置されてそれらを接続するウェブ領域（３０６、３０８）とを、第２の障壁層（３０２）と協働して画定する第１の障壁層（３０１）を含む流体充填チャンバ（３００）を含んでなる。第１の障壁層（３０１）は、ウェブ領域（３０６、３０８）内の第２の障壁層（３０２）に取り付けられる。
2019508182.tif 000002
【特許請求の範囲】
【請求項１】
アッパーを有する履物用品のソール構造であって、
ヒール領域と、
前足領域と、
前記ヒール領域と前記前足領域との間に配置された中足領域と、
前記ヒール領域内で該ソール構造の内側の側部に沿って延びる第１の流体充填セグメントと、前記ヒール領域内で該ソール構造の外側の側部に沿って延びる第２の流体充填セグメントと、前記第１の流体充填セグメントと前記第２の流体充填セグメントとの間に配置されてそれらを接続するウェブ領域とを、第２の障壁層と協働して画定する第１の障壁層を含む流体充填チャンバであって、前記第１の障壁層が、前記ウェブ領域内の前記第２の障壁層に取り付けられている流体充填チャンバと、
を含んでなることを特徴とするソール構造。
【請求項２】
前記第１の流体充填セグメントおよび前記第２の流体充填セグメントが接地面を含むことを特徴とする、請求項１に記載のソール構造。
【請求項３】
前記ウェブ領域が前記接地面から窪んでいることを特徴とする、請求項２に記載のソール構造。
【請求項４】
前記第１の流体充填セグメントが前記第２の流体充填セグメントに流体結合されていることを特徴とする、請求項１〜３のいずれか一項に記載のソール構造。
【請求項５】
前記流体充填チャンバが、前記ヒール領域の周りに延在し、前記第１の流体充填セグメントおよび前記第２の流体充填セグメントに流体結合された第３の流体充填セグメントを含むことを特徴とする、請求項１〜４のいずれか一項に記載のソール構造。
【請求項６】
前記流体充填チャンバが、前記第１の流体充填セグメントと前記第２の流体充填セグメントとの間に延びてそれらに接続された第４の流体充填セグメントを含み、前記第４の流体充填セグメントが、前記内側の側部および前記外側の側部の間に延在していることを特徴とする、請求項１〜５のいずれか一項に記載のソール構造。
【請求項７】
前記ウェブ領域が、前記第１の流体充填セグメント、前記第２の流体充填セグメント、第３の流体充填セグメント、および、前記第４の流体充填セグメントによって境界付けされていることを特徴とする、請求項６に記載のソール構造。
【請求項８】
前記ウェブ領域が前記アッパーに近接して配置されていることを特徴とする、請求項１〜７のいずれか一項に記載のソール構造。
【請求項９】
前記流体充填チャンバが、前記第１の流体充填セグメントから当該ソール構造の外側の側部に向かって延びる第５の流体充填セグメントを含むことを特徴とする、請求項１〜８のいずれか一項に記載のソール構造。
【請求項１０】
前記流体充填チャンバが、前記第２の流体充填セグメントから当該ソール構造の内側の側部に向かって延びる第６の流体充填セグメントを含むことを特徴とする、請求項１〜９のいずれか一項に記載のソール構造。
【請求項１１】
第５の流体充填セグメントが前記第６の流体充填セグメントと略平行であることを特徴とする、請求項１０に記載のソール構造。
【請求項１２】
第６の流体充填セグメントが、前記内側の側部および前記外側の側部の間の位置で終端する遠位端を含むことを特徴とする、請求項９〜１１のいずれか一項に記載のソール構造。
【請求項１３】
前記遠位端が前記アッパーに向かう方向に先細りしていることを特徴とする、請求項１２に記載のソール構造。
【請求項１４】
第５の流体充填セグメントが前記内側の側部から前記外側の側部に連続して延びていることを特徴とする、請求項９〜１３のいずれか一項に記載のソール構造。
【請求項１５】
第５の流体充填セグメントが、前足領域内に前記内側の側部および前記外側の側部の間の位置で終端する遠位端を含むことを特徴とする、請求項９〜１４のいずれか一項に記載のソール構造。
【請求項１６】
前記第５の流体充填セグメントの遠位端が前記アッパーに向かう方向に先細りしていることを特徴とする、請求項１５に記載のソール構造。
【請求項１７】
前記流体充填チャンバの一部の上に延びるオーバーモールド部をさらに含むことを特徴とする、請求項１〜１６のいずれか一項に記載のソール構造。
【請求項１８】
前記オーバーモールド部が前記ヒール領域の上に延びることを特徴とする、請求項１７に記載のソール構造。
【請求項１９】
前記オーバーモールド部が前記中足領域の上に延びることを特徴とする、請求項１８に記載のソール構造。
【請求項２０】
前記オーバーモールド部が前記前足領域の内に延びることを特徴とする、請求項１９に記載のソール構造。
【請求項２１】
前記オーバーモールド部が前記第２の障壁層に結合され、前記第２の障壁層とは異なる厚さ、異なる硬度、および異なる材料の中から少なくとも１つを含むことを特徴とする、請求項１７〜２０のいずれか一項に記載のソール構造。
【請求項２２】
請求項１〜２１のいずれか一項に記載のソール構造が組み込まれた履物用品。
【請求項２３】
アッパーを有する履物用品のソール構造であって、
ヒール領域と、
前足領域と、
前記ヒール領域と前記前足領域との間に配置された中足領域と、
前記前足領域内で該ソール構造の内側の側部および外側の側部の間に連続的に延びる第１の流体充填セグメントと、前記前足領域内で該ソール構造の前記内側の側部および前記外側の側部の間に連続的に延びる第２の流体充填セグメントと、前記第１の流体充填セグメントと前記第２の流体充填セグメントとの間に配置されてそれらを接続するウェブ領域とを、第２の障壁層と協働して画定する第１の障壁層を含む流体充填チャンバであって、前記第１の障壁層が、前記ウェブ領域内の前記第２の障壁層に取り付けられている流体充填チャンバと、
を含んでなることを特徴とするソール構造。
【請求項２４】
前記第１の流体充填セグメントおよび前記第２の流体充填セグメントが接地面を含むことを特徴とする、請求項２３に記載のソール構造。
【請求項２５】
前記ウェブ領域が前記接地面から窪んでいることを特徴とする、請求項２４に記載のソール構造。
【請求項２６】
前記第１の流体充填セグメントが前記第２の流体充填セグメントに流体結合されていることを特徴とする、請求項２３〜２５のいずれか一項に記載のソール構造。
【請求項２７】
前記流体充填チャンバが、前記内側の側部および前記外側の側部のどちらか一つにそって延在し、前記第１の流体充填セグメントおよび前記第２の流体充填セグメントに流体結合された第３の流体充填セグメントを含むことを特徴とする、請求項２３〜２６のいずれか一項に記載のソール構造。
【請求項２８】
前記第１の流体充填セグメントと前記第２の流体充填セグメントとが、前記内側の側部および前記外側の側部のどちらか一方から前記内側の側部および前記外側の側部の他方の方向に延びる方向に互いに向かって収束していることを特徴とする、請求項２３〜２７のいずれか一項に記載のソール構造。
【請求項２９】
前記ウェブ領域が、前記第１の流体充填セグメントと前記第２の流体充填セグメントとの間で、前記内側の側部および前記外側の側部の他方において延在していることを特徴とする、請求項２３〜２８のいずれか一項に記載のソール構造。
【請求項３０】
前記第１の流体充填セグメントが、前記内側の側部および前記外側の側部の他方で、前記第２の流体充填セグメントから離間していることを特徴とする、請求項２３〜２９のいずれか一項に記載のソール構造。
【請求項３１】
前記ウェブ領域が、第３の流体充填セグメントから前記内側の側部および前記外側の側部の他方に連続的に延びていることを特徴とする、請求項２３〜３０のいずれか一項に記載のソール構造。
【請求項３２】
前記ウェブ領域が、前記第１の流体充填セグメント、前記第２の流体充填セグメント、第３の流体充填セグメント、および、前記内側の側部および前記外側の側部の他方によって、境界付けがされていることを特徴とする、請求項２７〜３１のいずれか一項に記載のソール構造。
【請求項３３】
前記ウェブ領域が前記アッパーに近接して配置されていることを特徴とする、請求項２３〜３２のいずれか一項に記載のソール構造。
【請求項３４】
前記流体充填チャンバが、前記第２の流体充填セグメントから前記内側および前記外側の側部の他方に沿って延びる第４の流体充填セグメントを含むことを特徴とする、請求項２３〜３２のいずれか一項に記載のソール構造。
【請求項３５】
前記流体充填チャンバが、前記第４の流体充填セグメントに流体結合された第５の流体充填セグメントであって、前記内側の側部および前記外側の側部の一方から前記内側の側部および前記外側の側部の他方に向かって延びる第５の流体充填セグメントを含むことを特徴とする、請求項３４に記載のソール構造。
【請求項３６】
前記第４の流体充填セグメントが前記第５の流体充填セグメントと略平行であることを特徴とする、請求項３５に記載のソール構造。
【請求項３７】
前記第５の流体充填セグメントが、前記内側の側部および前記外側の側部の間の位置で終端する遠位端を含むことを特徴とする、請求項３５または３６に記載のソール構造。
【請求項３８】
前記遠位端が前記アッパーに向かう方向に先細りしていることを特徴とする請求項３７に記載のソール構造。
【請求項３９】
前記流体充填チャンバの一部の上に延在するオーバーモールド部をさらに含むことを特徴とする、請求項２３〜３８のいずれか一項に記載のソール構造。
【請求項４０】
前記オーバーモールド部が前記ヒール領域の上に延びることを特徴とする、請求項３９に記載のソール構造。
【請求項４１】
前記オーバーモールド部が前記中足領域の上に延びることを特徴とする、請求項４０に記載のソール構造。
【請求項４２】
前記オーバーモールド部が前記前足領域の内に延びることを特徴とする、請求項４１に記載のソール構造。
【請求項４３】
前記オーバーモールド部が前記第２の障壁層に結合され、前記第２の障壁層とは異なる厚さ、異なる硬度、および異なる材料の中から少なくとも１つを含むことを特徴とする、請求項３９〜４２のいずれか一項に記載のソール構造。
【請求項４４】
請求項２３〜４３のいずれか一項に記載のソール構造が組み込まれた履物用品。
【請求項４５】
アッパーを有する履物用品のソール構造であって、
ヒール領域と、
前足領域と、
前記ヒール領域と前記前足領域との間に配置された中足領域と、
該ソール構造の内側の側部と該ソール構造の外側の側部のどちらか一つに沿って前記ヒール領域から前記前足領域に延びる第１の流体充填セグメントと、前記内側の側部および前記外側の側部の一方から前記内側の側部および前記外側の側部の他方に延びる第２の流体充填セグメントと、前記内側の側部および前記外側の側部の他方から前記内側の側部および前記外側の側部の一方に延びる第３の流体充填セグメントとを、第２の障壁層と協働して画定する第１の障壁層を含む流体充填チャンバと、
を含んでなることを特徴とするソール構造。
【請求項４６】
前記第１の流体充填セグメントおよび前記第２の流体充填セグメントが接地面を含むことを特徴とする、請求項４５に記載のソール構造。
【請求項４７】
前記接地面が、前記第１の流体充填セグメント、前記第２の流体充填セグメント、および、前記第３の流体充填セグメントに沿って前記ヒール領域から前記前足領域に中断されずに延びていることを特徴とする、請求項４６に記載のソール構造。
【請求項４８】
前記第２の流体充填セグメントが、前記内側の側部および前記外側の側部の一方から前記内側の側部および前記外側の側部の他方に連続的に延びていることを特徴とする、請求項４５〜４７のいずれか一項に記載のソール構造。
【請求項４９】
第３の流体充填セグメントが、前記内側の側部および前記外側の側部の他方から前記内側の側部および前記外側の側部の一方に連続的に延びていることを特徴とする、請求項４５〜４８のいずれか一項に記載のソール構造。
【請求項５０】
前記流体充填チャンバが、前記内側の側部および前記外側の側部の他方に沿って延びる第４の流体充填セグメントを含むことを特徴とする、請求項４５〜４９のいずれか一項に記載のソール構造。
【請求項５１】
前記第４の流体充填セグメントが前記第２の流体充填セグメントと前記第３の流体充填セグメントとの間に延在して流体結合していることを特徴とする、請求項５０に記載のソール構造。
【請求項５２】
ウェブ領域が接地面から窪んでいることを特徴とする、請求項４５〜５１のいずれか一項に記載のソール構造。
【請求項５３】
前記第２の流体充填セグメントと前記第３の流体充填セグメントとが、前記内側の側部および前記外側の側部の他方から前記内側の側部および前記外側の側部の一方の方向に延びる方向に互いに向かって収束していることを特徴とする、請求項４５〜５２のいずれか一項に記載のソール構造。
【請求項５４】
ウェブ領域が、前記第２の流体充填セグメントと前記第３の流体充填セグメントとの間で、前記内側の側部および前記外側の側部の一方において延在していることを特徴とする、請求項４５〜５３のいずれか一項に記載のソール構造。
【請求項５５】
前記第２の流体充填セグメントが、前記内側の側部および前記外側の側部の一方で、前記第３の流体充填セグメントから離間していることを特徴とすることを特徴とする、請求項４５〜５４のいずれか一項に記載のソール構造。
【請求項５６】
ウェブ領域が、第４の流体充填セグメントから前記内側の側部および前記外側の側部の他方に連続的に延びていることを特徴とする、請求項４５〜５５のいずれか一項に記載のソール構造。
【請求項５７】
ウェブ領域が、前記第２の流体充填セグメント、前記第３の流体充填セグメント、第４の流体充填セグメント、および、前記内側の側部および前記外側の側部の一方によって、境界付けがされていることを特徴とする、請求項４５〜５６のいずれか一項に記載のソール構造。
【請求項５８】
ウェブ領域が前記アッパーに近接して配置されていることを特徴とする、請求項４５〜５７のいずれか一項に記載のソール構造。
【請求項５９】
前記流体充填チャンバが、前記第３の流体充填セグメントから前記内側および前記外側の一方に沿って延びる第５の流体充填セグメントを含むことを特徴とする、請求項４５〜５８のいずれか一項に記載のソール構造。
【請求項６０】
前記流体充填チャンバが、前記第５の流体充填セグメントに流体結合された第６の流体充填セグメントであって、前記内側の側部および前記外側の側部の他方から前記内側の側部および前記外側の側部の一方に向かって延びる第６の流体充填セグメントを含むことを特徴とする、請求項５９に記載のソール構造。
【請求項６１】
前記第５の流体充填セグメントが前記第６の流体充填セグメントと略平行であることを特徴とする、請求項６０に記載のソール構造。
【請求項６２】
前記第６の流体充填セグメントが、前記内側の側部と前記外側の側部との間の位置で終端する遠位端を含むことを特徴とする、請求項６０または６１に記載のソール構造。
【請求項６３】
前記遠位端が前記アッパーに向かう方向に先細りしていることを特徴とする請求項６２に記載のソール構造。
【請求項６４】
前記流体充填チャンバの一部の上に延在するオーバーモールド部をさらに含むことを特徴とする、請求項４５〜６３のいずれか一項に記載のソール構造。
【請求項６５】
前記オーバーモールド部が前記ヒール領域の上に延びることを特徴とする、請求項６４に記載のソール構造。
【請求項６６】
前記オーバーモールド部が前記中足領域の上に延びることを特徴とする、請求項６５に記載のソール構造。
【請求項６７】
前記オーバーモールド部が前記前足領域の内に延びることを特徴とする、請求項６６に記載のソール構造。
【請求項６８】
前記オーバーモールド部が前記第２の障壁層に結合され、前記第２の障壁層とは異なる厚さ、異なる硬度、および異なる材料の中から少なくとも１つを含むことを特徴とする、請求項６４〜６７のいずれか一項に記載のソール構造。
【請求項６９】
請求項４５〜６８のいずれか一項に記載のソール構造が組み込まれた履物用品。
【発明の詳細な説明】
【技術分野】
【０００１】
［関連出願への相互参照］本出願は、２０１６年３月１５日に出願された米国仮出願第６２／３０８，８１０号、および２０１７年３月１５日に出願された米国特許出願第１５／４５９，１３１号に対する優先権を主張し、その開示は、この参照によってすべてが組み込まれる。
【０００２】
本出願は、一般に、履物用品のソール構造に関し、より詳細には、複数の流体充填セグメントを有する流体充填チャンバを組み込んだソール構造に関する。
【背景技術】
【０００３】
このセクションは、必ずしも先行技術ではない本出願に関する背景情報をもたらす。
【０００４】
履物用品は、従来、アッパーおよびソール構造を含む。アッパーは、ソール構造上に足を受け入れ、固定し、支持するための任意の適切な材料から形成され得る。アッパーは、靴ひも、ストラップ、または他のファスナと協働して、足の周囲へのアッパーのフィットを調整することができる。足の底面に近接するアッパーの底部が、ソール構造に取り付けられる。
【発明の概要】
【０００５】
ソール構造は、一般に、地面とアッパーとの間に延在する層状構造を含む。ソール構造の１つの層は、耐摩耗性および地面との牽引力をもたらすアウトソールを含む。アウトソールは、耐久性および耐摩耗性を付与するゴムまたは他の材料から形成することができ、また地面との牽引力を高めることができる。ソール構造の別の層は、アウトソールとアッパーとの間に配置されたミッドソールを含む。ミッドソールは、足へクッション性をもたらし、グラウンド反発力(ground-reaction forces)を減衰させることによって足の衝撃を吸収するために、負荷された荷重の下で弾力的に圧縮するポリマーフォーム材料から部分的に形成され得る。ミッドソールは、付加的または代替的に、ソール構造の耐久性を向上させるとともに、加えられた荷重の下で弾性的に圧縮してグラウンド反発力を減衰させることによって足にクッションをもたらす流体充填チャンバを組み込んでもよい。ソール構造はまた、快適性向上インソールまたはソールライナーを含み、ソールライナーは、アッパーの底部に近接した隙間内に位置し、ストローブル(stroble)はアッパーに取り付けられ、ミッドソールとインソールまたはソックスライナーの間に配置される。
【０００６】
流体充填チャンバを使用するミッドソールは、一般に、密封または結合され、空気などの流体で加圧されるポリマー材料の２つの障壁層から形成されるチャンバとして構成され、例えば運動中のような荷重下でチャンバが弾力的に圧縮するときに、チャンバの形状を保持する張力部材をチャンバ内に組み込み得る。一般に、流体充填チャンバは、足へのサポートのバランスと、流体充填チャンバが荷重下で弾力的に圧縮するときの応答性に関連するクッション特性と、を重視して設計される。しかしながら、流体充填チャンバは全体として、流体充填チャンバが圧縮してグラウンド反発力を減衰させるが、足による振動を適切に減衰させることができない。したがって、足による振動を減衰させ、グラウンド反発力を減衰させながら足に許容されるクッションをもたらす流体充填チャンバからミッドソールを形成することは困難である。
【図面の簡単な説明】
【０００７】
本明細書に記載される図面は、選択された構成のみを説明するためのものであって、本出願の範囲を限定することを意図するものではない。
【０００８】
【図１】本出願の原理に基づく履物用品の側面斜視図である。
【図２】図１の履物用品の分解図で、層状構成に配置された、ミッドソール、流体充填チャンバ、およびアウトソールを有するソール構造を示す。
【図３】図１の線３−３で切った断面図で、ソール構造の前足領域内に流体充填セグメントを示し、ソール構造の外側の側部(a lateral side)とソール構造の内側の側部(a medial side)との間で連続的に延びる。
【図４】図１の線４−４で切った断面図で、ソール構造のヒール領域内の流体充填セグメントに取り付けられたオーバーモールド部を示す。
【図５】図１の履物用品の底面概略図で、ソール構造体の流体充填チャンバに関連する複数の流体充填セグメントの幾何形状および構成を示す。
【図６】図５の線６−６で切った断面図で、ソール構造の前足領域（a forefoot region）内に配置され、ソール構造の内側の側部からソール構造の外側の側部に連続して延びる流体充填セグメントを示す。
【図７】図５の線７−７で切った断面図で、ソール構造の中足領域(a mid-foot region)内に配置され、ウェブ領域によって互いに分離された流体充填セグメントを示す。
【図８】図５の８−８線で切った断面図で、ソール構造の内側の側部に沿って延びる第２の流体充填セグメントに流体的に接続されたソール構造体の外側の側部に沿って延びる第１の流体充填セグメントを示す。
【図９】図５の線９−９で切った断面図で、ソール構造の前足領域、中足領域およびヒール領域を通って、ソール構造の外側の側部とソール構造の内側の側部との間を延びる流体充填セグメントを示す。
【図１０】アウトソールセグメントが取り付けられた流体充填セグメントの斜視図である。
【図１１】図１の履物用品の底面概略図で、ソール構造の流体充填チャンバによって画定されるクッションおよびベクトルを示す
【０００９】
対応する参照番号は、図面全体にわたって対応する部分を示す。
【発明を実施するための形態】
【００１０】
例示的な構成は、添付の図面を参照してより完全に説明される。例示的な構成が、本出願を通して、本出願の範囲を当業者に完全に伝えるように提供される。詳細な特定は、本出願の構成の完全な理解をもたらすために、特定の構成要素、デバイス、および方法の例などのように記載される。詳細な特定を採用する必要はなく、その構成例は多くの異なる形態で実施することができ、その詳細な特定および構成例は本発明の範囲を限定するものではないことは、当業者には明らかであろう。
【００１１】
本明細書で使用する用語は、特定の例示的な構成のみを説明するためのものであって、限定することを意図するものではない。本明細書で使用されるように、単数の冠詞「a」、「an」および「the」は、文脈が他に明白に示さない限り、複数形も含むことが意図されている。「含む」、「含んでなる」、「含んでいる」、および「有する」という用語は、包括的であって、従って、特徴、ステップ、動作、要素および／または構成要素の存在を特定するが、ステップ、動作、要素、構成要素、および／またはそれらのグループのうちの少なくとも１つを含み得る。本明細書に記載の方法のステップ、プロセス、および動作は、性能の順序として具体的に特定されない限り、必ずしも説明または図示された特定の順序で性能を必要とすると解釈されるべきではない。追加の或いは代替のステップを採用してもよい。
【００１２】
ある要素または層が他の要素または層に「上に」、「係合している」、「接続されている」、「取り付けられている」または「結合している」と言及される場合、或いは、他の要素または層に結合されてもよく、若しくは、介在要素または層が存在してもよい。対照的に、ある要素が他の要素または層に「直接的に」、「直接的に関与している」、「直接的に接続されている」、「直接的に連続している」、または「直接的に結合している」と言及されている場合、介在要素または層が存在しない。要素間の関係を説明するために使用される他の言葉は、同様の方法で（例えば、「間」対「直接間」、「隣接」対「直接隣接」など）解釈されるべきである。本明細書で使用される場合、「および／または」という用語は、関連する列挙された項目の１つまたは複数の任意のおよびすべての組み合わせを含む。
【００１３】
第１、第２、第３などの用語は、本明細書では、様々な要素、構成要素、領域、層および／またはセクションを説明するために使用され得る。これらの要素、コンポーネント、領域、層および／またはセクションは、これらの用語によって限定されるべきではない。これらの用語は、ある要素、コンポーネント、領域、層、またはセクションを他の領域、層またはセクションと区別するためにのみ使用され得る。「第１」、「第２」などの用語および他の数値用語は、文脈によって明白に示されない限り、順序または順番を意味しない。したがって、以下に説明する第１の要素、構成要素、領域、層、またはセクションは、例示的構成の教示から逸脱することなく、第２の要素、構成要素、領域、層またはセクションと呼ぶことができる。
【００１４】
本出願の一態様は、アッパーを有する履物用品のソール構造を提供する。ソール構造は、ヒール領域と、前足領域と、ヒール領域と前足領域との間に配置された中足領域と、流体充填チャンバとを含む。流体充填チャンバは、ヒール領域内のソール構造の内側の側部に沿って延びる第１の流体充填セグメントを画定するために、第２の障壁層と協働する第１の障壁層を含む。第２の流体充填セグメントは、ヒール領域内のソール構造の外側の側部に沿って延びる。ウェブ領域は、第１の流体充填セグメントと第２の流体充填セグメントとの間に配置され、それらを接続する。第１の障壁層は、ウェブ領域内の第２の障壁層に取り付けられる。
【００１５】
本出願の実施形態は、以下の任意の特徴のうちの１つ以上を含み得る。いくつかの実施形態では、第１の流体充填セグメントおよび第２の流体充填セグメントは、それぞれ接地面を含む。ウェブ領域は、接地面から窪んでいてもよい。第１の流体充填セグメントは、第２の流体充填セグメントに流体連通し得る。流体充填チャンバは、ヒール領域の周囲に延在し、第１の流体充填セグメントおよび第２の流体充填セグメントに流体結合された第３の流体充填セグメントをさらに含み得る。流体充填チャンバはまた、第１の流体充填セグメントと第２の流体充填セグメントとの間に延在し、それらに接続された第４の流体充填セグメントを含み得る。ここで、第４の流体充填セグメントは、内側の側部と外側の側部との間に延在し得る。
【００１６】
いくつかの実施形態では、ウェブ領域は、第１の流体充填セグメント、第２の流体充填セグメント、第３の流体充填セグメント、および第４の流体充填セグメントによって境界が定められる。ウェブ領域はさらに、アッパーに近接して配置され得る。いくつかの例では、流体充填チャンバは、第１の流体充填セグメントからソール構造の外側の側部に向かって延びる第５の流体充填セグメントを含む。チャンバはまた、第２の流体充填セグメントからソール構造の内側に向かって延びる第６の流体充填セグメントを含み得る。第５の流体充填セグメントは、第６の流体充填セグメントと実質的に平行であり得る。第６の流体充填セグメントは、内側の側部と外側の側部との間の位置で終端する遠位端を含み得る。遠位端は、上方に向かう方向に先細りテーパ状になっていてもよい。いくつかの例では、第５の流体充填セグメントは、内側から外側へ連続的に延びている。第５の流体充填セグメントは、前足領域内の内側と外側の間の位置で終端する遠位端を含み得る。第５の流体充填セグメントの遠位端は、上方に向かう方向に先細りテーパ状になっていてもよい。
【００１７】
ソール構造は、流体充填チャンバの一部の上に延びるオーバーモールド部を含み得る。オーバーモールド部は、ヒール領域、中足領域および／または前足領域の上に延び得る。オーバーモールド部は、第２の障壁層に結合されてもよく、第２の障壁層とは異なる厚さ、異なる硬度、および異なる材料のうちの少なくとも１つを含み得る。
【００１８】
本出願の別の態様は、アッパーを有する履物用品のためのソール構造をもたらす。ソール構造は、ヒール領域と、前足領域と、ヒール領域と前足領域との間に配置された中足領域と、流体充填チャンバとを含む。流体充填チャンバは、前足領域内のソール構造の内側の側部とソール構造の外側の側部との間に連続的に延びる第１の流体充填セグメントを画定するために第２の障壁層と協働する第１の障壁層を含む。第２の流体充填セグメントは、前足領域内のソール構造の内側の側部とソール構造の外側の側部との間を連続的に延びる。ウェブ領域は、第１の流体充填セグメントと第２の流体充填セグメントとの間に配置され、それらを連結し、第１の障壁層はウェブ領域内の第２の障壁層に取り付けられる。
【００１９】
この態様は、以下のオプション機能の１つ以上を含み得る。いくつかの実施形態では、第１の流体充填セグメントおよび第２の流体充填セグメントは、それぞれ接地面を含む。ウェブ領域は、接地面から窪んでいてもよい。第１の流体充填セグメントは、第２の流体充填セグメントに流体結合し得る。いくつかの例では、流体充填チャンバは、内側の側部および外側の側部の一方に沿って延在し、第１の流体充填セグメントおよび第２の流体充填セグメントに流体結合される第３の流体充填セグメントを含む。第１の流体充填セグメントおよび第２の流体充填セグメントは、内側の側部および外側の側部の一方から内側の側部および外側の側部の他方に延びる方向に互いに向かって収束し得る。
【００２０】
いくつかの例では、ウェブ領域は、第１の流体充填セグメントと第２の流体充填セグメントとの間で、内側の側部および外側の側部の他方に延びている。第１の流体充填セグメントは、内側の側部および外側の側部の他方の第２の流体充填セグメントから離間し得る。ウェブ領域は、第３の流体充填セグメントから内側の側部および外側の側部の他方に連続的に延び得る。ウェブ領域は、第１の流体充填セグメント、第２の流体充填セグメント、第３の流体充填セグメント、および、内側の側部および外側の側部の他方によって境界を定められ得る。ウェブ領域は、アッパーに近接して配置され得る。
【００２１】
いくつかの実施形態では、流体充填チャンバは、第２の流体充填セグメントから内側の側部および外側の側部の他方に沿って延びる第４の流体充填セグメントを含む。流体充填チャンバは、第４の流体充填セグメントに流体結合され、内側の側部および外側の側部の一方から内側の側部および外側の側部の他方に向かって延びる第５の流体充填セグメントを含み得る。第４の流体充填セグメントは、第５の流体充填セグメントと実質的に平行であり得る。第５の流体充填セグメントは、内側の側部と外側の側部との間の位置で終端する遠位端を含み得る。遠位端は、上方に向かう方向に先細りテーパ状になり得る。
【００２２】
ソール構造は、流体充填チャンバの一部の上に延びるオーバーモールド部を含み得る。オーバーモールド部は、ヒール領域の上に延び得る。オーバーモールド部は、中足領域の上に延び得る。オーバーモールド部は、前足領域内に延び得る。オーバーモールド部は、第２の障壁層に結合されてもよく、第２の障壁層とは異なる厚さ、異なる硬度、および異なる材料のうちの少なくとも１つを含み得る。
【００２３】
さらに別の態様では、本出願は、アッパーを有する履物用品のためのソール構造をもたらす。ソール構造は、ヒール領域と、前足領域と、ヒール領域と前足領域との間に配置された中足領域と、流体充填チャンバとを含む。流体充填チャンバは、第２の障壁層と協働して第１の流体充填セグメントを画定する第１の障壁層を含み、第１の流体充填セグメントは、ヒール領域から前足領域にソール構造の内側の側部およびソール構造の外側の側部のいずれか一方にそって延びている。第２の流体充填セグメントは、内側の側部および外側の側部の一方から他方に延びている。第３の流体充填セグメントは、内側の側部および外側の側部の他方から内側の側部と外側の側部の一方に延びている。
【００２４】
この態様は、以下のオプション機能の１つ以上を含み得る。いくつかの実施形態では、第１の流体充填セグメントおよび第２の流体充填セグメントは、それぞれ接地面を含む。接地面は、第１の流体充填セグメント、第２の流体充填セグメント、および第３の流体充填セグメントに沿って、ヒール領域から前足領域まで途切れることなく延び得る。第２の流体充填セグメントは、内側の側部および外側の側部の一方から内側の側部および外側の側部の他方へ連続的に延び得る。第３の流体充填セグメントは、内側の側部および外側の側部の他方から内側の側部および外側の側部の一方へ連続的に延び得る。
【００２５】
いくつかの例では、流体充填チャンバは、内側および外側の他方に沿って延びる第４の流体充填セグメントを含む。第４の流体充填セグメントはまた、第２の流体充填セグメントと第３の流体充填セグメントとの間で延在し、流体結合し得る。ウェブ領域は、流体充填チャンバの接地面から窪んでいてもよい。第２の流体充填セグメントと第３の流体充填セグメントは、内側の側部および外側の側部の他方から内側の側部および外側の側部の一方に延びる方向に互いに向かって収束し得る。ウェブ領域は、内側の側部および外側の側部の一方に、第２の流体充填セグメントと第３の流体充填セグメントとの間で延在し得る。第２の流体充填セグメントは、内側の側部および外側の側部の一方で、第３の流体充填セグメントから離間しても良い。
【００２６】
いくつかの実施形態では、ウェブ領域は、第４の流体充填セグメントから内側の側部および外側の側部の他方に連続的に延びている。ウェブ領域は、第２の流体充填セグメントと、第３の流体充填セグメントと、第４の流体充填セグメントと、内側の側部および外側の側部の一方と、によって境界が定められ得る。ウェブ領域は、アッパーに近接して配置され得る。
【００２７】
流体充填チャンバは、第３の流体充填セグメントから内側および外側の一方に沿って延びる第５の流体充填セグメントを含み得る。流体充填チャンバは、第５の流体充填セグメントに流体連結され、内側の側部および外側の側部の他方から内側の側部および外側の側部の一方に向かって延びる第６の流体充填セグメントをさらに含み得る。第５の流体充填セグメントは、第６の流体充填セグメントと実質的に平行であり得る。第６の流体充填セグメントは、さらに、内側の側部および外側の側部の間の位置で終端する遠位端を含み得る。いくつかの例では、遠位端は、アッパーに向かう方向に先細りテーパ状になる。
【００２８】
ソール構造はまた、流体充填チャンバの一部の上に延びるオーバーモールド部を含み得る。オーバーモールド部は、ヒール領域の上に延び得る。オーバーモールド部はまた、中足領域上に延在してもよい。オーバーモールド部はさらに、前足領域内に延び得る。オーバーモールド部は、第２の障壁層に結合されてもよく、第２の障壁層とは異なる厚さ、異なる硬度、および異なる材料のうちの少なくとも１つを含み得る。
【００２９】
図１に示すように、履物用品１０は、アッパー１００と、アッパー１００に取り付けられたソール構造２００とを含む。履物用品１０は、１つ以上の領域に分割され得る。この領域は、前足領域１２と中足領域１４とヒール領域１６とを含み得る。前足領域１２は、中足骨を足の指骨に接続するつま先および関節に対応し得る。中足領域１４は足のアーチ領域に対応し、ヒール領域１６は踵骨を含む足の後部に対応し得る。履物１０は、履物１０の反対側（両側）に対応し、それぞれの領域１２、１４、１６を通って延びる外側の側部１８および内側の側部２０をそれぞれ含み得る。
【００３０】
アッパー１００は、ソール構造２００に支持するために足を受け入れて固定するように構成された内部空洞１０２を画定する内部表面を含む。ヒール領域１６の足首開口部１０４は、内部空洞１０２へのアクセスを提供し得る。例えば、足首開口部１０４は、足を受けて、足を空洞１０２内に固定し、足を足の内部空洞１０２に出し入れするのを容易にする。いくつかの例では、１つ以上のファスナ１０６が、足の周りの内部空洞１０２のフィットを調整し、そこへの侵入および除去を可能にする。アッパー１００は、アイレットなどのアパーチャおよび／またはファスナ１０６を受けるファブリックまたはメッシュループなどの他の係合フィーチャを含み得る。ファスナ１０６は、靴ひも、ストラップ、コード、フックアンドループ、または任意の他の適切なタイプのファスナを含み得る。
【００３１】
アッパー１００は、内部空洞１０２とファスナ１０６との間に延在する舌部１１０を含み得る。アッパー１００は、内部空洞１０２を形成するために互いに縫い合わされるか或いは接着剤で結合される１つ以上の材料から形成され得る。好適なアッパーの材料は、メッシュ、織物、発泡剤、皮革、および合成皮革を含むが、これらに限定されない。材料は、耐久性、空気透過性、耐摩耗性、柔軟性および快適性の特性を付与するように選択され、配置され得る。
【００３２】
いくつかの実施形態では、ソール構造２００は、層状構成で配置されたアウトソール２１０、流体充填チャンバ３００、ミッドソール２４０、およびストローブル２２０を含む（図２〜図４）。ソール構造２００（例えば、アウトソール２１０、流体充填チャンバ３００、ミッドソール２４０、ストローブル２２０）は、長手方向軸Ｌを画定する。例えば、アウトソール２１０は、履物用品１０の使用中に地面と係合し、流体充填チャンバ３００は、アウトソール２１０とミッドソール２４０との間に配置され、アッパー１００および／またはストローブル２２０に取り付けられる。流体充填チャンバ３００は、ミッドソール２４０を介してアッパー１００に取り付けることができ、アウトソール２１０は、ミッドソール２４０とは反対側の流体充填チャンバ３００に取り付けることができる。いくつかの例では、ソール構造２００は、ストローブル２２０上に、アッパー１００の内部空洞１０２内に配置され、足の足裏面を受け入れて、履物１０の快適性を高めるためのインソール２１６または靴下（図３および図４）などの追加の層を組み込むこともできる。
【００３３】
流体充填チャンバ３００は、成形プロセスまたは加熱プロセス中に、上部障壁層３０１（以下、「上部層３０１」）および下部障壁層３０２（「下部層３０２」）から形成される。いくつかの例では、上部層３０１および下部層３０２は、１つ以上のポリマー材料から形成される。上部層３０１と下部層３０２とは、ソール構造２００の周囲に共に接合され、フランジ３０６を画定する（図３および図４）。さらに、上部層３０１および下部層３０２は、ソール構造２００の外側の側部１８とソール構造２００の内側の側部２０との間の様々な場所で一緒に接合されて、ウェブ領域３０８を画定する（図３および図４）。
【００３４】
いくつかの実施形態では、流体充填チャンバ３００は、複数の流体充填セグメント３１１、３１２、３１３、３１４、３１５、３１６、３１７、３１８、３１９、３２０、３２１、３２２、３２３、３２４を含み（図５参照）、それぞれが加圧された流体（例えば、空気）を含み、履物１０の使用中に足にクッション性および安定性をもたらす。流体充填セグメント３１１〜３２４は、すべて互いに流体結合され、流体充填セグメント３１１〜３２４が、他の流体充填セグメント３１１〜３２４とは異なる長さを有し得る。流体充填セグメント３１１〜３２４はソール構造２００の領域に形成され、上部層３０１と下部層３０２とが分離され、互いに離間して加圧流体（例えば、空気）を封入するためのそれぞれの空隙を画定する。したがって、フランジ３０６およびウェブ領域３０８は、上部層３０１および下部層３０２が接合および接合される流体充填チャンバ３００の領域に対応し、協働して各流体充填セグメントの境界を限定し、その中に加圧流体を密封する。したがって、流体充填セグメント３１１〜３２４は、ソール構造２００のそれぞれの領域１２、１４、１６の対応する領域内に配置されてもよく、ウェブ領域３０８によって互いに離間されてもよい。換言すれば、より多くの流体充填セグメント３１１〜３２４は、協働してウェブ領域３０８の対応する領域を境界付けすることができる。
【００３５】
流体充填セグメント３１１〜３２４の幾何形状および構成は、図５に示された履物１０の底面概要図に示されている。他の実施形態では、足のクッションをもたらすために、加圧された流体の代わりに或いはそれに加えて、ポリマー発泡体および／または粒子状物質などの１つまたは複数のクッション材料が、１つ以上の流体充填セグメント３１１〜３２４によって封入される。これらの実施形態では、クッション材料は、加えられた荷重の下で圧縮されたときに軟質クッションをもたらし得る。
【００３６】
それぞれの流体充填セグメント３１１〜３２４は、実質的に管状の断面形状と、チャンバ３００の上部層３０１と下部層３０２との間でソール構造２００の長手方向軸線Ｌに対して実質的に垂直に延びる厚さを画定し得る。このように、それぞれの流体充填セグメント３１１〜３２４の厚さは、下部層３０２が上部層３０１から離れてアッパー１００から離れる方向に突出する距離によって画定される。流体充填セグメント３１１〜３２４の少なくとも２つは、異なる厚さを画定し得る。例えば、ヒール領域１６に配置された１つ以上の流体充填セグメント３１１〜３２４は、前足領域１２に配置された１つ以上の流体充填セグメント３１１〜３２４に関連する厚さよりも大きな厚さと関連付けられ得る。
【００３７】
いくつかの実施形態では、流体充填セグメント３１１〜３２４の少なくとも２つは、ソール構造２００の外側の側部１８に沿って延びているが、少なくとも２つの他の流体充填セグメント３１１〜３２４は、ソール構造２００の内側の側部２０に沿って延びている。さらに、流体充填セグメント３１１〜３２４のいくつかは、ソール構造２００の外側の側部１８とソール構造２００の内側の側部２０との間に延在する。例えば、少なくとも１つの流体充填セグメント３１１〜３２４は、外側の側部１８および内側の側部２０の一方から外側の側部１８および内側の側部２０の他方へ連続的に延在し得る。追加的にまたは代替的に、流体充填セグメント３１１〜３２４のうちの一方は、外側の側部１８および内側の側部２０の一方から、内側の側部２０および外側の側部１８の間の位置で終端する遠位端５まで延在している。ここで、遠位端５は、アッパー１００に向かう方向、すなわち、流体充填チャンバ３００の上部層３０２に向かって先細りし得る。いくつかの例では、流体充填チャンバ３００は、互いに流体結合し、各領域１２、１４、１６を貫通し、ソール構造２００の外側の側部１８と内側の側部２０との間に延在する流体充填セグメント３１１〜３２４によって画定された蛇行形状を含む。
【００３８】
流体充填チャンバ３００に関連する流体充填セグメント３１１〜３２４は、従来のミッドソールがもたらす機能性およびクッション性を向上させると同時に、履物１０の使用中のグラウンド反発力に応答して生じる足による振動を減衰させることによって、向上された安定性およびサポート性をもたらす。例えば、歩行または走行運動のような前進運動中のソール構造２００への荷重は、グラウンド反発力を減衰させることによって足にクッションをもたらすために流体充填セグメント３１１〜３２４のいくつかを圧縮させ、その一方、他の流体充填セグメント３１１〜３２４は、その形状を保持し、グラウンド反発力の初期衝撃に応じて履物１０に対して足の振動を減衰させる安定性およびサポート特性を付与し得る。
【００３９】
さらに、流体充填セグメント３１１〜３２４のうちの１つまたは複数は、ソール構造２００の異なる領域１２、１４、１６内のウェブ領域３０８と相互作用して、応答型クッションの分離された領域をもたらし得る。例えば、ヒール領域１６内の流体充填セグメント３１１〜３１４は、ヒール領域１６の周囲の周りのセグメント３１１〜３１４にグラウンド反発力の初期衝撃をトランポリン効果により吸収させることによって、ウェブ領域３０８のそれぞれの部分を拘束して、ヒール領域１６に応答型クッションをもたらし、流体充填セグメント３１１〜３１４が連続して圧縮し、それによってヒール領域１６に勾配応答型クッションをもたらす。
【００４０】
さらに、ソール構造２００に沿った流体充填セグメント３１１〜３２４（図５）の幾何学的形状および配置は、アウトソール２１０がヒール領域１６から前足部領域１２に地面との係合のために転動する前進運動の間に、アウトソール２１０と地面との間の牽引力を高めることができる。また、アウトソール２１０が  外側の側部１８および内側の側部２０の一方から外側の側部１８および内側の側部２０の他方に地面との係合のために転動する横方向運動の間も同様である。
【００４１】
図２は、図１の履物用品１０の分解図を示す。ストローブル２２０は、底面２２２と、フットベッド２２４とを含み、フットベッド２２４は、ストローブル２２０の底面２２２とは反対側に配置され得る。ステッチング２２６または接着剤は、ストローブル２２０をアッパー１００に固定し得る。フットベッド２２４は、足の底面（例えば、足裏）の輪郭に一致するように形成され得る。いくつかの例では、インソール２１６または靴下（図３および図４参照）は、足の下でフットベッド２２４の上に、アッパー１００の内部空洞１０２の少なくとも一部内に配置され得る。ストローブル２２０の底面２２２は、ミッドソール２４０に対向し得る。
【００４２】
いくつかの実施形態では、ミッドソール２４０は、ストローブル２２０の底面２２２と流体充填チャンバ３００の上部層３０１との間に配置される。より具体的には、ミッドソール２４０は、底面２４２と、上面２４４とを含み、上面２４４は、ミッドソール２４０の底面２４２とは反対側に配置される。ミッドソール２４０の上面２４４は、ストローブル２２０の底面２２２と接合し、また、アッパー１００の周面の周りに延在して接合する。ミッドソール２４０の底面２４２は、流体充填チャンバ３００の上面３０１と接合する。したがって、ミッドソール２４０は中間層として作用し、ミッドソール２４０の上面２４４をアッパー１００および／またはストローブル２２０の底面２２２に接合することによって、さらに、底面２４２を流体充填チャンバ３００の上部層３０１に接合することによって、流体充填チャンバ３００の上部層３０１を間接的にアッパー１００に取り付ける。これによって、ソール構造２００（例えば、アウトソール２１０、流体充填チャンバ３００、およびミッドソール２４０）をアッパー１００に固定する。さらに、履物１０のミッドソール２４０は、上部層３０１がアッパー１００の周面上に延在する程度を低減することも可能で、したがって、上部層３０１がアッパー１００から外れる可能性を低減することによって、履物１０の長時間の使用時における履物１０の耐久性を高める。
【００４３】
さらに、ミッドソール２４０は、足のクッションおよびサポートをもたらすために、足の底面のプロフィールに一致するように輪郭付けられ得る。いくつかの例では、ミッドソール２４０は、グラウンド反発力を減衰させることによって足にクッションを与えるために、適用される荷重下で弾力的に圧縮する１つ以上のポリマーフォーム材料のスラブから形成される。いくつかの実施形態では、適用される荷重下での流体充填チャンバ３００の複数の流体充填セグメント３１１〜３２４による圧縮は応答型クッションをもたらす一方、適用される荷重下のミッドソール２４０による圧縮が軟質クッションをもたらす。したがって、流体充填セグメント３１１〜３２４およびミッドソール２４０は協働して、適用される荷重が変化するにつれて変化する勾配クッションを靴用品１０にもたらすことができる（すなわち、荷重が大きいほど、流体充填セグメント３１１〜３２４が圧縮され、したがって、履物１０がより敏感に反応する）。
【００４４】
流体充填チャンバ３００の上部層３０１は、ミッドソール２４０の底面２４２に対向して取り付けられる（例えば、接合および結合）。上部層３０１は、成形プロセスまたは熱成形プロセスにおいて１つ以上のポリマー材料から形成され、ミッドソール２４０の外周に上向きに延びる外周縁を含む。
【００４５】
流体充填チャンバ３００の下部層３０２は、上部層３０１に対して流体充填チャンバ３００の反対側に配置される。上部層３０１と同様に、下部層３０２は、成形プロセスまたは熱成形プロセスにおいて、同じまたは異なる一つ以上のポリマー材料から形成され得る。下部層３０２は、アッパー１００に向かって上方に延び、上部層３０１の外周縁と結合してフランジ３０６を形成する外周縁を含み得る。いくつかの実施形態では、下部層３０２は、流体充填チャンバ３００に関連する複数の流体充填セグメント３１１〜３２４の幾何学的形状（例えば、厚さ、幅、および長さ）を画定する。下部層３０２および上部層３０１は、流体充填チャンバ３００の外側の側部１８と内側の側部２０との間の複数の別個の領域に互いに結合して接合し、それぞれの流体充填セグメント３１１〜３２４を制限して分離するウェブ領域３０８の部分を形成する。したがって、それぞれの流体充填セグメント３１１〜３２４は、上部層３０１および下部層３０２が互いに接合されていない流体充填チャンバ３００の領域に関連付けられ、したがって、それぞれの流体充填セグメント３１１〜３２４に関連する空隙をそれぞれ形成するために分離されている。いくつかの実施形態では、接着剤結合は、上部層３０１と下部層３０２とを接合して、フランジ３０６およびウェブ領域３０８を形成する。他の実施形態では、上部層３０１と下部層３０２とが熱結合によって接合されてフランジ３０６およびウェブ領域３０８を形成する。
【００４６】
いくつかの実施形態では、上部層３０１および下部層３０２は、流体充填セグメント３１１〜３２４に関連する窪みを画定する様々な表面をそれぞれ規定するそれぞれのモールド部と、下部層３０２および上部層３０１が接合して結合する時にフランジ３０６が形成される位置を規定するピンチ面とによって、形成される。いくつかの例では、上部層３０１および下部層３０２の一方または両方が、成形および接着を容易にする温度に加熱される。いくつかの例では、上部層３０１および／または下部層３０２は、それぞれの金型の間に配置される前に加熱される。他の例では、上部層３０１および／または下部層３０２の温度を上げるために、モールド（金型）が加熱され得る。いくつかの実施形態では、流体充填チャンバ３００を形成するために使用される成形プロセスにおいて、モールド部分内に真空ポートを組み込んで、上部層３０１および下部層３０２が、それぞれのモールド部分に引き出されて接触するように空気を除去する。他の実施例では、上部層３０１と下部層３０２との間の領域に空気などの流体を注入して圧力を増加させ、上部層３０１および下部層３０２をそれぞれのモールド部分の表面と係合させる。
【００４７】
流体充填チャンバ３００の厚さは、前足領域１２よりもヒール領域１６のほうが厚くなり得る。いくつかの例では、流体充填チャンバ３００の厚さは、ヒール領域１６から前足領域１２まで徐々に減少し、ヒール領域１６に最初に生じ、アウトソール２１０が地面との係合のために転がるにつれて減少する、より大きな大きさのグラウンド反発力を吸収するためのより大きな程度のクッション性をもたらす。
【００４８】
いくつかの実施形態では、オーバーモールド部３０４が、流体充填チャンバ３００の一部の上に延在し、適用された荷重の下で流体充填チャンバ３００の耐久性および弾力性を向上させる。オーバーモールド部３０４は、第２の障壁層３０２に取り付けることによってヒール領域１６上を延在し、ヒール領域１６内の流体充填チャンバ３００の耐久性および弾力性を向上させることができ、下部層３０２と上部層３０１との間の分離距離は、ヒール領域１６内のより厚い流体充填チャンバ３００を画定するより大きい。追加的または代替的に、オーバーモールド部３０４は、中足領域１４上を延在し、前足領域１２内に延び得る。いくつかの例では、オーバーモールド部３０４は、下部層３０２に結合され、異なる硬度、および第２の層３０１とは異なる材料の少なくとも一つを含み得る。オーバーモールド部３０４は、ヒール領域１６および中足領域１４に存在する流体充填セグメント３１１〜３１７を部分的に画定する下部層３０２の領域にのみ取り付けられることに制限され、したがって、オーバーモールド部３０４がフランジ３０６およびウェブ領域３０８に付着することがなく、下部層３０２が上部層３０１と接合する。したがって、オーバーモールド部３０４は、それぞれに取り付けられたそれぞれの流体充填セグメント３１１〜３１７の形状にほぼ一致する形状をそれぞれが画定する複数のセグメントを画定し得る。オーバーモールド部３０４の複数のセグメントは、いくつかの構成において連続している。
【００４９】
いくつかの例では、アウトソール２１０は、接地面２１２と、オーバーモールド部３０４に取り付けられた反対側の内面２１４と、流体充填セグメント３１８〜３２４を画定する下部層３０２の領域とを含み、オーバーモールド部のない、例えば、前足領域１２である。オーバーモールド部３０４と同様に、アウトソール２１０は、それぞれ、流体充填セグメント３１１〜３２４の形状に一致する形状をそれぞれが画定する複数のセグメントを含み、アウトソール２１０は、流体充填セグメント３１１〜３２４の間の領域には存在せず、それによって、流体充填チャンバ３００のフランジ３０６およびウェブ領域３０８を露出させる。アウトソール２１０は、一般に、耐摩耗性および地面との牽引力をもたらし、耐久性および耐摩耗性を与え、地面との牽引力を高める１つまたは複数の材料から形成され得る。例えば、ゴムは、アウトソール２１０の少なくとも一部を形成し得る。接地面２１２は、接地面２１２からアッパー１００から離れる方向に突出する複数の接触パッド２３２を画定し、接触パッド２３２は流体充填セグメント３１１、３１２、３１７〜３２４の長さに沿って平行に延びて中足領域１４および前足領域１２に牽引力および安定性を与え得る。接触パッド２３２はまた、足の底面を地面からより高い位置にすることができる。
【００５０】
図３は、図１の線３−３で切った断面図であって、前足領域１２内のソール構造２００の外側の側部１８に沿って延びる流体充填チャンバ３００の流体充填セグメント３１９を示す。ストローブル２２０は、ステッチング２２６または他の固定技術によってアッパー１００に固定され、インソール２１６または靴下は、ストローブル２２０のフットベッド２２４上の内部空洞１０２に位置する。ストローブル２２０の底面２２２は、ミッドソール２４０の上面２４４に取り付けられ、ミッドソール２４０の周縁もまた、アッパー１００の周面上に延びて取り付けられる。図３は、ミッドソール２４０の底面２４２に取り付けられ、アッパー１００に向かって延在する周縁部を有し、流体充填チャンバ３００の周囲にフランジ３０６を形成するために、下部層３０２の周縁と接合する上部層３０１を示す。ここで、下部層３０２は、アッパー１００に向かって延び、上部層３０１と接合してウェブ領域３０８の領域を形成し、外側の側部１８でフランジ３０６と協働して、側部１８に沿って延びる流体充填セグメント３１９を規定して制限し得る。ウェブ領域３０８は、内側の側部２０において流体充填セグメント３１９からフランジ３０６まで均一かつ連続的に延び得る。図３はまた、ソール構造体２００の外側の側部１８の流体充填セグメント３１９からソール構造体２００の内側の側部２０の流体充填セグメント３２１まで連続的に延びる流体充填セグメント３２０を示す。
【００５１】
アウトソール２１０は、１つ以上の流体充填セグメント３１１〜３２４に取り付けられ、それらの形状に適合する。いくつかの例では、流体充填セグメント３１１〜３２４の少なくとも１つは、アウトソール２１０のそれぞれのセグメントを受け入れて支持するように構成されたその長さに沿って延びる直線状のリッジを画定する。図３は、流体充填チャンバ３００の流体充填セグメント３１９、３２０、３２１の長さに沿って平行に延びる、地面との牽引力を向上させる接触パッド２３２を含むアウトソール２１０の接地面２１２を示す。
【００５２】
図４は、図１の線４−４で切った断面図で、アッパー１００に向かって延びて上部層３０１と接合する下部層３０２であって、外側の側部１８のフランジ３０６と内側の側部２０との間のウェブ領域３０８の２つの領域を形成する下部層３０２を示し、その間に配置された充填セグメント３１３と流体充填セグメント３１４との部分を画定して規制する。いくつかの例では、流体充填セグメント３１３は、外側の側部１８および内側の側部２０に沿ってアッパー１００から外側に突出する。上部層３０１は、履物の使用中に足の形状に合致するように、くぼんだ丸い形状で、下部層３０２は、フランジ３０６およびウェブ領域３０８から延びるかまたは突出する流体充填セグメント３１３により輪郭が形成される。したがって、流体充填セグメント３１３および他の流体充填セグメント３１１、３１２、３１４〜３２４は、アッパー１００からアウトソール２１０に向かって突出し、ソール構造２００において独立したサポートまたはクッション要素を形成する。
【００５３】
オーバーモールド部３０４は、流体充填セグメント３１３がアッパー１００からアウトソール２１０に向かって突出する領域において、下部層３０２の部分に取り付けられて、流体充填セグメント３１３の耐久性および弾力性を高めることができる。特に、オーバーモールド部３０４は、流体充填セグメント３１３の丸い表面に輪郭を描かれている。いくつかの例では、流体充填チャンバ３００の下部層３０２は、オーバーモールド部３０４が取り付けられている部分に沿って減少した厚さを含むように形成される。アウトソール２１０の内面２１４は、オーバーモールド部３０４に取り付けられ、それによってウェブ領域３０８は、アウトソール２１０の接地面２１２に対して窪んでいる。
【００５４】
いくつかの実施例では、接触パッド２３２は、接地面２１２から突出しており、これは、図４に示す外側の側部１８で流体充填セグメント３１３を覆うオーバーモールド部２１４に取り付けられる。いくつかの実施形態では、外側の側部１８に沿って延びる流体充填セグメント３１３の部分および内側の側部２０に沿って延びる流体充填セグメント３１３の他の部分はそれぞれ、横方向の運動の間にソール構造２００の内側および／または外側の転動を容易にするために、図４に示す半管状の断面形状を含む。その一方、外側の側部１８と内側の側部２０との間に配置された流体充填セグメント３１４は、流体充填セグメント３１３がグラウンド反発力の初期衝撃を吸収し、それによってグラウンド反発力が流体充填セグメント３１４に加えられる前に圧縮する。このように、流体充填セグメント３１３および３１４が連続的に圧縮すると、トランポリン効果がヒール領域１６の中心に生成され、それによって、足の踵骨（例えば、踵の骨）に対する勾配応答型クッションがもたらされる。加圧流体（例えば、空気）をそれぞれ収容する流体充填セグメント３１３および３１４は、内側および外側の側部２０、１８の一方にそれぞれ沿って延びる流体充填セグメント３１１、３１２によって流体結合され得る。いくつかの構成では、オーバーモールド部３０４は、流体充填セグメント３１４（流体充填セグメント３１５、３１６も）を取り付ける。他の構成では、オーバーモールド部３０４は、流体充填セグメント３１４、３１５、３１６の少なくとも１つには存在しない。
【００５５】
図５は、図１の履物用品１０の底面概略図で、ソール構造２００内に配置された流体充填チャンバ３００の形状および配置を示す。上部層３０１および下部層３０２は、流体充填チャンバ３００の障壁層を含み、一緒に接合し、複数の別個の位置で接合することによって、ソール構造２００の周縁に延びるフランジ３０６と、ソール構造２００の外側の側部１８と内側の側部２０との間に延びるウェブ領域３０８とを形成する。フランジ３０６およびウェブ領域３０８は、アッパー１００に近接して配置され、アウトソール２１０の接地面２１２に対して窪んでいる。フランジ３０６およびウェブ領域３０６は、協働して、セグメント３１１〜３２４内に流体（例えば、空気）を密封している流体充填セグメント３１１〜３２４の周りに制限して延びる。いくつかの例では、ウェブ領域３０８の領域は、流体充填セグメントによって完全に囲まれているが、ウェブ領域３０８の他の領域は、流体充填セグメントとフランジ３０６の組み合わせによって、外側の側部１８または内側の側部２０に沿って境界が定められている。いくつかの構成では、ウェブ領域３０８の領域は、アウトソール２１０が地面との係合のために転動するときに履物１０の屈曲を容易にするために屈曲ゾーンを画定する。図５は、外側の側部１８と内側の側部２０との間に連続的に延びるウェブ領域３０８の部分を示していない。
【００５６】
いくつかの実施形態では、適用された荷重の下で、特に履物１０の前方走行運動中にグラウンド反発力を減衰させることによって、セグメント３１１〜３２４がクッション性、安定性およびサポート性をもたらすために圧縮又は伸長する時に、流体充填セグメント３１１〜３２４は、互いに流体結合して、流体をセグメント３１１〜３２４を通るように誘導する流体充填チャンバ３００のための統一圧力システムを形成する。例えば、流体充填セグメント３１１〜３１３および３１７〜３２４は、前足領域１２に配置された流体充填セグメント３２４の遠位端５と、中足領域１４内に配置された流体充填セグメント３１７と、の間に延びる流体充填チャンバ３００のための統一蛇行形状を、協働して画定し得る。より詳細には、統一蛇行形状の流体充填チャンバ３００は、ソール構造２００の長手方向軸線Ｌに沿って延び、外側の側部１８に沿って延びるセグメントと、内側の側部２０に沿って延びるセグメントと、外側の側部１８と内側の側部２０との間で連続的に延びるセグメントと、内側の側部２０と外側の側部１８との間の位置で終端する遠位端５まで内側の側部２０に向かって延びるセグメントとを含む。
【００５７】
いくつかの構成では、少なくとも２つの隣接する流体充填セグメント３１１〜３２４が、屈曲部３またはターンで互いに接続され、対応する屈曲部３によって接続されるセグメントのそれぞれが互いに異なる方向に延びる。それぞれの屈曲部３は、ソール構造２００の周囲に向かって延びる内部半径に関連付けられている。いくつかの例では、それぞれの屈曲部３の半径は、少なくとも３ｍｍである。さらに、各湾曲部３は、それぞれの流体充填セグメント３１１〜３２４の、フランジ３０６とは反対側のソール構造２００の周囲に近接して配置される。湾曲部３を流体充填セグメントにフランジ３０６の反対側に配置することによって、ソール構造２００に加えられる荷重間の方向変更中に、流体充填セグメント３１０〜３４０による崩壊が防止される。選択的に、セグメント３１１〜３２４のうちの１つ以上は、他のセグメント３１１〜３２４から流体的に隔離され、セグメント３１１〜３２４のうちの少なくとも１つが異なって加圧され得る。
【００５８】
いくつかの構成では、流体充填セグメント３１１は、ヒール領域１６内のソール構造２００の内側の側部２０に沿って延び、流体充填セグメント３１２は、ヒール領域１６内のソール構造２００の外側の側部１８に沿って延び、流体充填セグメント３１３は、ヒール領域１６の周りに延び、流体充填セグメント３１１および３１２に流体結合する。したがって、流体充填セグメント３１３は、概して、内側の側部２０および外側の側部１８のそれぞれ一つに設けられた流体充填セグメント３１１および３１２に流体結合する馬蹄形状を画定し得る。いくつかの例では、流体充填セグメント３１１は、流体充填セグメント３１２の長さより長い。例えば、流体充填セグメント３１１は、流体充填セグメント３１２に比べて、ヒール領域１６から前足部１２に向かって長く延び得る。いくつかの例では、流体充填セグメント３１１は、部分的に前足部１２内に延びている。
【００５９】
いくつかの実施例では、流体充填セグメント３１４は、流体充填セグメント３１１、３１２の間に延び、流体充填セグメント３１１、３１２に接続する。例えば、流体充填セグメント３１４は、外側の側部１８から内側の側部２０まで実質的に垂直な方向に延び得る。したがって、流体充填セグメント３１４は、流体充填セグメント３１１、３１２に流体接続し、流体充填セグメント３１１、３１２の間に流体結合をもたらす。ウェブ領域３０８、すなわち下部層３０２が上部層３０１に付着するように形成されたウェブ領域３０８は、ヒール領域１６内で流体充填セグメント３１１〜３１４の間に延在してそれらを接続し得る。このように、流体充填セグメント３１１〜３１４は、ヒール領域１６内でウェブ領域３０８を拘束するように協働し、それによって、ウェブ領域３０８は、アッパー１００に近接して配置され、流体充填セグメント３１１〜３１４上に取り付けられたアウトソール２１０の接地面２１２に対して窪んでいる。
【００６０】
いくつかの例では、１つまたは複数の追加の流体充填セグメント３１５および／または３１６が、流体充填セグメント３１１、３１２の間に延在し、流体充填セグメント３１１、３１２に接続し、中足領域１４の少なくとも一部内の流体充填チャンバ３００のためのラダー構成を画定している。ここで、複数の流体充填セグメント３１４〜３１６は、ソール構造２００の長手方向軸線Ｌに実質的に垂直な方向に互いにほぼ平行に延在し、履物１０の使用中に流体充填セグメント３１１、３１２、３１３に作用するねじり力を緩和することによって、足に安定とサポートをもたらす。さらに、セグメント３１４〜３１６は、セグメント３１１、３１２と協働して、ウェブ領域３０８の離間した領域をもたらし得る。例えば、流体充填セグメント３１１〜３１４は協働して、ヒール領域１６内に第１のウェブ領域３０８を拘束し、流体充填セグメント３１１、３１２、３１５、３１６は協働して、中足領域１４内に第２のウェブ領域３０８を拘束し、流体充填セグメント３１１、３１２、３１４、３１５は協働して、第１のウェブ領域と第２のウェブ領域との間の領域３０８内に第３のウェブ領域３０８を拘束する。したがって、ウェブ領域３０８は、ソール構造２００の外側の側部１８と内側の側部２０との間でセグメント化されて、流体充填セグメント３１１、３１２にねじれサポートをもたらし、それによって、アウトソール２１０が、ヒール領域１６から前足領域１２への地面との係合のために転動する際、履物１０に対する足の振動を減衰し得る。
【００６１】
いくつかの実施形態では、流体充填セグメント３１１は、流体充填セグメント３１２の長さより長い。例えば、内側の側部２０に沿った流体充填セグメント３１１は、流体充填セグメント３１２に比べ、ヒール領域１６から前足部１２の方向により長く延び得る。流体充填セグメント３１１は、前足部１２内に部分的に延びていてもよい。いくつかの実施形態では、流体充填セグメント３１８は、ソール構造２００の外側の側部１８に向かう方向に流体充填セグメント３１３とは反対側の端部において、流体充填セグメント３１１から延びているが、流体充填セグメント３１７は、ソール構造２００の内側の側部２０に向かう方向に流体充填セグメント３１３とは反対側の端部において、流体充填セグメント３１２から延びている。
【００６２】
いくつかの例では、オーバーモールド部３０４は、流体充填セグメント３１１〜３１６を画定する下部層３０２の部分に取り付けられ、流体充填セグメント３１７、３１８には存在しない。流体充填セグメント３１１は、ヒール領域１６から流体充填セグメント３１２よりも遠い距離にあるので、そこから延びる流体充填セグメント３１８は、流体充填セグメント３１７よりもヒール領域１４から遠くに配置され得る。流体充填セグメント３１７は、内側の側部２０と外側の側部１８との間の位置で終端する遠位端５を含み得るが、流体充填セグメント３１８は、内側の側部２０から外側の側部１８まで連続的に延び得る。いくつかの構成では、流体充填セグメント３１７の遠位端５は、アッパー１００に向かう方向に先細テーパ状になり、それによって、遠位端５が、それぞれの流体充填セグメント３１７のアンカーポイントとして動作するとともに、剪断力などの荷重が加えられたときにその形状を保持するために、流体充填チャンバ３００全体のアンカーポイントとして動作することを可能にする。
【００６３】
いくつかの例では、履物１０が走行運動を行っている間にアウトソール２１０が地面との係合のために転動するとき、足にクッションをもたらすために、流体充填セグメント３１７、３１８は互いに実質的に平行で、連続的に圧縮する。ウェブ領域３０８が、ソール構造２００の外側の側部１８における流体充填セグメント３１１、３１７、３１８およびフランジ３０６によって境界を定められるように、ウェブ領域３０８は、流体充填セグメント３１７、３１８を互いに分離し得る 。いくつかの実施形態では、ウェブ領域３０８は、互いにほぼ平行に延びる流体充填セグメント３１７、３１８を分離して、中足領域１４と前足領域１２との間に屈曲領域を画定する。
【００６４】
いくつかの実施形態では、流体充填セグメント３２０は、前足領域１２内に配置され、ソール構造２００の外側の側部１８からソール構造２００の内側の側部２０まで連続して延びる。流体充填セグメント３１９は、流体充填セグメント３１８からソール構造２００の外側の側部１８にそって、ヒール領域３１５から離れる方向に延びて、それぞれが外側の側部１８と内側の側部２０との間に連続して延びる流体充填セグメント３１８、３２０を流体結合させ得る。いくつかのシナリオでは、流体充填セグメント３２０は、流体充填セグメント３１８に収束する。これらのシナリオでは、流体充填セグメント３１８、３２０は、外側の側部１８から内側の側部２０に延びる方向に互いに向かって収束する。流体充填セグメント３１９は、外側の側部１８では収束する流体充填セグメント３１８、３２０の間に延びているが、流体充填セグメント３１８、３２０は、内側の側部１８では互いに離間している。より詳細には、ソール構造２００の内側の側部２０に沿ったウェブ領域３０８およびフランジ３０６は、流体充填セグメント３２０を流体充填セグメント３１８から分離するように協働する。例えば、図５は、流体充填セグメント３１８と３２０との間に延びるウェブ領域３０８であって、外側の側部１８の流体充填セグメント３１９からソール構造２００の内側の側部２０に形成されたフランジ３０６まで連続的に延びるウェブ領域３０８を示す。外側の側部１８から内側の側部２０に延びる方向に収束する流体充填セグメント３１８、３２０と、内側の側部２０で流体充填セグメント３１８、３２０を分離するウェブ領域３０８とは、走行運動中のグラウンド反発力を減衰させることによって、荷重下で流体充填セグメント３１８、３２０を圧縮して中足骨にクッションをもたらす。その一方、流体充填セグメント３１８、３２０が圧縮されている間、足による振動も同時に減衰される。
【００６５】
さらに、流体充填セグメント３２１は、流体充填セグメント３２０から内側の側部２０に沿ってヒール領域１６から離れる方向に延び、流体充填セグメント３２２は、流体充填セグメント３２１から外側の側部１８に向かう方向に延び、および、流体充填セグメント３２３は、流体充填セグメント３２２から外側の側部１８に沿ってヒール領域１６に向かう方向に延び得る。いくつかの例では、外側の側部１８に沿って延びる流体充填セグメント３２３は、内側の側部２０に沿って延びる流体充填セグメント３２１よりも短い長さを有する。いくつかの実施形態では、流体充填セグメント３２４は、流体充填セグメント３２３から内側の側部２０に向かう方向に延び、外側の側部１８と内側の側部２０との間の位置で終端する遠位端５を含む。中足領域１４内の流体充填セグメント３１７の遠位端５と同様に、前足領域１２内の流体充填セグメント３２４の遠位端５は、アッパー１００に向かう方向に先細り、剪断力が加えられたときに流体充填セグメント３２４の形状を保持するアンカーポイントとして作動し得る。
【００６６】
いくつかの例では、流体充填セグメント３２２は、流体充填セグメント３２０とほぼ平行で、流体充填セグメント３２０、３２２の間に配置された流体充填セグメント３２４と収束する。これらの例では、流体充填セグメント３２４は、内側の側部２０から外側の側部１８に延びる方向に流体充填セグメント３２２と収束し、外側の側部１８から内側の側部２０に延びる方向に流体充填セグメント３２０と収束する。ウェブ領域３０８は、内側の側部２０に沿って流体充填セグメント３１８、３２０を分離するウェブ領域３０８と同様に、流体充填セグメント３２０、３２４を外側の側部１８に沿って分離する。したがって、外側の側部１８に沿って流体充填セグメント３２０、３２４を分離するウェブ領域３０８に加え、外側の側部１８から内側の側部２０に延びる方向に流体充填セグメント３２０、３２４を収束させることによって、流体充填セグメント３１８、３２０が、荷重下に圧縮して、つま先から離れた中足骨−指骨の関節に応答型クッションをもたらすことを許容する。
【００６７】
外側の側部１８から内側の側部２０に延びる方向に収束する流体充填セグメント３２０、３２４と、内側の側部２０で流体充填セグメント３２０、３２４を分離するウェブ領域３０８とは、走行運動中のグラウンド反発力を減衰させることによって、荷重下で流体充填セグメント３２０、３２４を圧縮して中足骨にクッションをもたらす。その一方、流体充填セグメント３２０、３２４が圧縮されている間、足による振動も同時に減衰される。アウトソール２１０の接地面２１２は、ヒール領域１６から前足領域１２まで、流体充填セグメント３１７、３１２、３１３、３１１、３１８、３１９、３２０、３２１、３２２、３２３、３２４に沿って途切れることなく延び得る。
【００６８】
図６は、図５の線６−６で切った断面図で、図３に基づき上述したような層状構成に配置された前足領域１２のソール構造２００であって、ストローブル２２０、アッパー１００、ミッドソール２４０、および流体充填チャンバ３００の上部層３０１を有するソール構造２００を示す。下部層３０２の周縁部は、アッパー１００に向かって上方に延び、上部層３０１の周縁と接合して、内側の側部２０および外側の側部１８に沿ったフランジ１０６を形成する。流体充填セグメント３２０は、外側の側部１８と内側の側部２０との間を連続的に延び、管状断面を画定し、そこでは、流体充填チャンバ３００の下部層３０２と上部層３０１とが分離され、加圧された流体（例えば、空気）を収容するためのそれぞれの空隙を形成している。ここで、チューブ状の断面は、走行などの前進移動を行う際の履物１０の使用中、アウトソール２１０と地面との間の転動係合のために、地面との接触面を丸くしている。したがって、下部層３０１および上部層３０２は、外側の側部１８と内側の側部２０との間で分離されたままであり、図６に対して外側の側部１８と内側の側部２０との間を連続的に延びる流体充填セグメント３２０を画定する。図６はまた、外側の側部１８に沿って延在する流体充填セグメント３１９であって、流体充填セグメント３２０を収束流体充填セグメント３１８に流体接続する流体充填セグメント３１９を示す。
【００６９】
アウトソール２１０は、流体充填セグメント３２０のそれぞれに取り付けられ、それぞれの形状に合致する。いくつかの例では、流体充填セグメント３２０は、アウトソール２１０を取り付けるためにその長さに沿って延びる直線状のリッジを画定する。いくつかの例では、接触パッド２３２は、アウターソール２１０の接地面２１２から、アッパー１００から離れる方向に、流体充填セグメント３２０の長さに沿って延在し、地面との牽引力を高める。接触パッド２３２は、流体充填セグメント３２０を接地面からさらに離して、流体充填セグメント３２０が圧縮してグラウンド反発力を減衰させるときの応答型クッションのレベルを高めることができる。
【００７０】
図７は、図５の線７−７で切った断面図で、図３に基づき上述したような層状構成に配置された中足領域１４のソール構造２００であって、ストローブル２２０、アッパー１００、ミッドソール２４０、および流体充填チャンバ３００の上部層３０１を有するソール構造２００を示す。下部層３０２の周縁部は、アッパー１００に向かって上方に延び、上部層３０１の周縁と接合して、内側の側部２０および外側の側部１８に沿ったフランジ１０６を形成し得る。流体充填チャンバ３００はまた、アッパー１００に向かって延び、上部層３０１と接合して、流体充填セグメント３１７と３１１との間に延在してそれらを分離するウェブ領域３０８の領域を形成し得る。例えば、ソール構造体２００の内側の側部２０に沿って延びる流体充填セグメント３１１は、内側の側部２０に形成されたウェブ領域３０８およびフランジ６によって境界が定められる一方、外側の側部１８で充填セグメント３１２から内側の側部２０に向かって延びる流体充填セグメント３１７は、外側の側部１８に形成されたウェブ領域３０８およびフランジ６によって境界が定められる。流体充填セグメント３１７の遠位端５は、アッパー１００に向かう方向に先細形状になり、外側の側部１８と内側の側部２０との間の位置に形成されたウェブ領域３０８で終了する。
【００７１】
アウトソール２１０は、流体充填セグメント３１１および３１７のそれぞれに取り付けられ、それぞれの形状に合致する。いくつかの例では、流体充填セグメント３１１、３１７は、アウトソール２１０を取り付けるためにその長さに沿って延びる直線状のリッジを画定する。いくつかの例では、接触パッド２３２は、アウターソール２１０の接地面２１２から、アッパー１００から離れる方向に、流体充填セグメント３１１〜３１７のそれぞれの長さに沿って延在し、地面との牽引力を高める。
【００７２】
図８は、図５の線８−８で切った断面図で、図３に基づき上述したような層状構成に配置された中足領域１４のソール構造２００であって、ストローブル２２０、アッパー１００、ミッドソール２４０、および流体充填チャンバ３００の上部層３０１を有するソール構造２００を示す。下部層３０２の周縁部は、アッパー１００に向かって上方に延び、上部層３０１の周縁と接合して、内側の側部２０および外側の側部１８に沿ったフランジ１０６を形成し得る。図８に示すように、下部層３０２は、上部層３０１からアッパー１００から離れる方向に突出して、外側の側部１８および内側の側部２０のそれぞれ一つに沿って延びる流体充填セグメント３１２、３１１と、流体充填セグメント３１２、３１１の間に延びて流体充填セグメント３１２、３１１に流体結合された流体充填セグメント３１４とを画定する。より具体的には、下部層３０２は、外側の側部１８および内側の側部２０に沿って上部層３０１からさらに先に突出して、それらの間に延びる流体充填セグメント３１４よりも大きな厚さを有する流体充填セグメント３１２、３１１を形成する。
【００７３】
図４の履物１０を参照して上述したように、オーバーモールド部３０４は、流体充填セグメント３１１、３１２、３１４がアッパー１００から突出してアウトソール２１０に向かって突出する領域の下部層３０２の部分に取り付けられ、ヒール領域１６および中足領域１４での流体充填セグメント３１１〜３１６の耐久性および弾力性を向上させる。いくつかの例では、流体充填チャンバ３００の下部層３０２は、オーバーモールド部３０４が取り付けられている部分に沿って減少した厚さを含むように形成されている。アウトソール２１０の内面２１４は、オーバーモールド部３０４に取り付けられる。いくつかの実施形態では、外側の側部１８に沿って延びる流体充填セグメント３１２と、内側の側部２０に沿って延びる流体充填セグメント３１１とは、それぞれ、横方向の運動時にソール構造２００の内側および／または外側の転動を容易にするために、図８に示されるような半円形の管状の断面形状を含む。その一方、外側の側部１８と内側の側部２０との間に配置された流体充填セグメント３１４は、ヒール領域１６に隣接するソール構造体２００の中心にある流体充填セグメント３１４にグラウンド反発力が加えられる前に、流体充填セグメント３１１、３１２がグラウンド反発力の初期衝撃を吸収して圧縮することを許容する減少された厚さを含み、流体充填セグメント３１１、３１２、３１４が連続的に圧縮されてトランポリン効果が生成され、これによって、アウトソール２１０が地面との係合のために転動する際に勾配応答型クッションがもたらされる。
【００７４】
アウトソール２１０は、流体充填セグメント３１１、３１２、３１４のそれぞれに取り付けられ、それらの形状に合致する。いくつかの例では、流体充填セグメント３１１、３１２、３１４は、アウトソール２１０を支持してそれに取り付けられるように、その長さに沿って延びる直線状のリッジを画定する。いくつかの実施例では、接触パッド２３２は、アウターソール２１０の接地面２１２から、アッパー１００から離れる方向に、流体充填セグメント３１１、３１２、３１４のそれぞれの長さに沿って延在し、地面との牽引力が増加される。
【００７５】
図９は、図５の線９−９で切った断面図で、ヒール領域１６、中足領域１４、およびフォアフット領域１２を通って延びるソール構造２００を示す。ソール構造２００は、図３を参照して上述したような層状構成で配置され、ストローブル２２０a、ミッドソール２４０、および流体充填チャンバの上部層３０１を含む。流体充填セグメント３１１は、ヒール領域１６および中足領域１４内でソール構造２００の内側の側部２０に沿って延びている。図４および図８に示すように、オーバーモールド部３０４は、流体充填セグメント３１１がアッパー１００からアウトソール２１０に向かって突出する領域における下部層３０２の部分に取り付けられ、ヒール領域１６および中足領域１４に配置される流体充填セグメント３１１の耐久性および弾力性を高める。さらに、流体充填セグメント３１７は、外側の側部１８から内側の側部２０に向かって、内側の側部２０と外側の側部１８との間の位置で終端する遠位端５まで延在する。ウェブ領域３０８は、図９に示されるように、流体充填セグメント３１１、３１７を分離してその間に延在し得る。いくつかの例では、流体充填セグメント３１７は前足領域１２内に延び、ヒール領域１６および／または中足領域１４のセグメントよりも小さい厚さに関連付けられる。これらの例では、オーバーモールド部３０４は流体充填セグメント３１７には存在しない。他の構成では、オーバーモールド部３０４を流体充填セグメント３１７に取り付けることができる。  
【００７６】
図９はまた、外側の側部１８と内側の側部２０との間に連続的に延び、いくつかの実施例では、流体充填セグメント３１７と実質的に平行に延びる流体充填セグメント３１８を示す。流体充填セグメント３１８はまた、外側の側部１８から内側の側部２０まで連続的に延びる流体充填セグメント３２０と収束し、それによってセグメント３１８、３２０は内側の側部２０に向かう方向に収束する。図５を参照して上述したように、流体充填セグメント３１８、３２０は、ウェブ領域３０６およびフランジ６によって内側の側部２０に沿って分離されている。図９はまた、外側の側部１８と内側の側部２０との間で、ソール構造２００の長手方向軸線Ｌに対して実質的に垂直な方向に延びる流体充填セグメント３２４、３２２を示す。いくつかの例では、流体充填セグメント３２４は、流体充填セグメント３２２、３２０と収束している。追加的または代替的に、流体充填セグメント３２２は、流体充填セグメント３２０と実質的に平行であり得る。図９は、ソール構造２００がヒール領域１６から前足領域１２に向かって進むにつれて厚さが減少する流体充填チャンバ３００を示す。例えば、流体充填セグメント３１１、３１７、３１８、３２０、３２４、３２６の厚さが、ヒール領域１６から前足領域１２に向かって延びる方向に向かって徐々に小さくなっている。
【００７７】
図１０は、互いに流体結合され、ソール構造２００の前足領域１２内に配置された流体充填セグメント３２２、３２３、３２４の底面概略図である。いくつかの例では、流体充填セグメント３２４は、内側の側部２０から、外側の側部１８と内側の側部２０との間の位置で終端する遠位端５まで延びている。遠位端５は、アッパー１００に向かう方向に先細りし得る。流体充填セグメント３２４の遠位端５による先細りは、荷重が負荷された時に流体充填セグメント３２４のアンカーポイントとして機能し得る。いくつかの例では、アウトソール３１０は、流体充填セグメント３２２〜３２４（ならびにセグメント３１１〜２３１）の形状および輪郭に適合する形状を含み、接着剤または他の取り付け技術を介してセグメント３２２〜３２４に取り付けられる。いくつかの構成では、流体充填セグメント３１１〜３２４の少なくとも１つは、それに取り付けられたアウトソール２１０の部分を支持するように構成されたそのそれぞれの長さに沿って延びる直線状のリッジを画定する。アウトソール２１０は、アッパー１００から突出している下部層３０２の領域に対向して取り付けられた内面２１４と、アウトソール２１０に内面２１４の反対側に配置された接地面２１２とを含む。いくつかの例では、接触パッド２３２は、接地面２１２から離れて突出し、それぞれの流体充填セグメント３２２〜３２４の長さに沿って延びる。アウトソール２１２および他の接触パッド２３２は、流体充填セグメント３１１〜３２１に同様の方法で取り付けることができる。
【００７８】
図１１は、図１０の履物用品１０の底面概略図であって、流体充填セグメント３１１〜３２４によって画定された複数のクッションサポートベクトル１２０、１２１、１４０、１６０を示す。より詳細には、ヒール領域１６と中足領域１４との間に延びる流体充填セグメント３１１、３１２のそれぞれの長手方向軸は、クッションサポートベクトル１６０のそれぞれの１つを規定し、ソール構造２００の外側の側部１８と内側の側部２０との間に延びる流体充填セグメント３１７、３１８、３２０、３２２、３２４のそれぞれの長手方向軸は、クッションサポートベクトル１２０、１２１、１４０のそれぞれの１つを規定する。クッションサポートベクトルに平行な方向に関連する荷重は、１つまたは複数の対応する流体充填セグメントが崩壊することなく実質的にその形状を保持するようにして、これらの領域における足のサポートおよび安定性をもたらす。一方、クッションサポートベクトルを横切る方向に関連する荷重は、１つまたは複数の対応する流体充填セグメントが圧縮されて崩壊し、荷重と関連したグラウンド反発力を減衰させることによってそれらの領域の足にクッションをもたらす。クッションサポートベクトル１６０は、ソール構造２００の長手方向軸線Ｌに実質的に平行に延びる一方、クッションサポートベクトル１２０、１２１、１４０は、ソール構造２００の長手方向軸線Ｌに対して横方向に延びる。例えば、クッションサポートベクトル１２０、１２１、１４０は、ソール構造２００の長手方向軸線Ｌに対して垂直から１５度（１５°）以内の角度を画定し得る。
【００７９】
いくつかの実施例では、第１の一連のクッションサポートベクトル１６０は、ヒール領域１６および中足領域１４内に配置され、ソール構造２００の長手方向軸線Ｌに実質的に平行な方向に互いにほぼ平行に延びる。歩行や走行運動などの前進運動の間に、ソール構造２００に加えられる荷重は、第１の一連のベクトル１６０に平行な方向に関連付けられて、それぞれの流体充填セグメント３１１、３１２に剪断力がかかるようになる。それによって、ヒール領域１６および中足領域１４を介した地面との係合のためにアウトソールが転動すると、それぞれの流体充填セグメント３１１、３１２がそれらの形状を保持（例えば、圧縮しない）し、サポートおよび安定性をもたらす。流体充填セグメント３１１、３１２の間に延在し、流体充填セグメント３１１、３１２を流体結合する流体充填セグメント３１４、３１５、３１６は、加えられた荷重下で流体充填セグメント３１１、３１２に作用するねじり力を減少させ、それによって、勾配応答型クッションをもたらしつつ足による振動を減衰させる。
【００８０】
移動または切断動作のような横方向移動の間、ソール構造２００に加えられる荷重は、第１の一連のベクトル１６０に対して横方向かつほぼ垂直な方向に関連する。したがって、ベクトル１６０の１つを画定する流体充填セグメント３１１は、加えられた荷重がソール構造２００の内側の側部２０に向かう方向にあるときに足の内側にクッションをもたらす一方、他方のベクトル１６０を画定する流体充填セグメント３１２は圧縮して、加えられた荷重がソール構造体２００の外側の側部１８に向かう方向にあるとき、足の外側にクッションをもたらす。
【００８１】
いくつかの実施形態では、第２の一連のクッションサポートベクトル１４０が、中足領域１４および前足領域１２内に配置され、ソール構造２００の長手方向軸線Ｌに実質的に垂直な方向に互いにほぼ平行に延びる。さらに、第３の一連のクッションサポートベクトル１２０は、前足領域１２内に配置され、ソール構造２００の長手方向軸線Ｌを横切る方向に互いに平行に延び、第２の一連の支持ベクトル１４０と内側の側部２０に向かう方向に収束する。第４のベクトル１２１はまた、第３の一連のベクトル１２０の間の前足領域１２内に配置され、ソール構造２００の長手方向軸線Ｌを横切る方向に延び、第２の一連のサポートベクトル１４０および第３の一連のサポートベクトル１２０と収束する。
【００８２】
歩行や走行運動などの前進運動の間に、ソール構造２００に加えられる荷重は、第１、第２および第３の一連のベクトル１４０、１２０、１２１を横切る方向に関連する。したがって、それぞれの流体充填セグメント３１７ 、３１８、３２０、３２２、３２４は、連続的に圧縮して崩壊し、地面から押し出すことによって足の中足領域にクッションをもたらす。加えられた荷重の方向に対するベクトル１４０、１２０、１２１の方向とそれぞれのセグメント３１７、３１８、３２０、３２２、３２４の長さとが、グラウンド反発力を減衰させるためにセグメントがどのように圧縮するかを決定する。
【００８３】
図５および図１１に示すように、内側の側部２０に沿ってウェブ領域３０８によって分離され、内側の側部２０に向かう方向に互いに向かって収束する流体充填セグメント３２０、３１８の配置は、セグメント３２０、３１８が圧縮して、グラウンド反発力を減衰させることによって足の中足領域にクッションをもたらすように、前進運動（例えば、走行運動）中に荷重によって引き起こされる足の振動を減衰するように作用する。さらに、外側の側部１８と内側の側部２０との間の位置で終端する遠位端５を有する流体充填セグメント３２４は、ウェブ領域３０８によって内側の側部２０の流体充填セグメント３２１から分離され、ウェブ領域３０８によって外側の側部１８の流体充填セグメント３２０から分離される。  外側の側部１８に沿ってウェブ領域３０８によって分離され、互いに向かって収束する流体充填セグメント３２４、３２０のこの配置も、足の振動を減衰させるのに作動し、セグメント３２０および３２４が圧縮されて足のつま先にかけて中足骨−指骨関節にクッションをもたらす。
【００８４】
移動または切断運動のような横方向運動の間に、ソール構造体２００に加えられる荷重は、それぞれのセグメント３１７、３１８、３２０、３２４、３２２が剪断力を受けるように、ベクトル１４０、１２０、１４１にほぼ平行な方向またはわずかに横切る方向に関連し、それによって、それぞれの流体充填セグメント３１７、３１８、３２０、３２４、３２２が、それらの形状を保持（例えば、圧縮しないか、またはわずかに圧縮する）し、履物１０の横方向運動に応じて足の中足領域にサポートおよび安定性をもたらすようにさせる。図５に示すように、流体充填セグメント３１７、３１４の遠位端５は、それぞれ、アッパー１００に向かう方向に先細りし、流体充填チャンバ３００全体としてのアンカーポイントとして働き、履物１０の使用中、より詳細には、前方走行運動中の履物１０の使用中に流体充填セグメント３１７および流体充填セグメント３２４の間を流体連通させる。
【００８５】
以下のそれぞれの項は、上述した履物用品の例示的な構成をもたらす。
【００８６】
第１項：アッパーを有する履物用品のソール構造は、ヒール領域と、前足領域と、前記ヒール領域と前記前足領域との間に配置された中足領域とを含んでなる。流体充填チャンバは、前記ヒール領域内で該ソール構造の内側の側部に沿って延びる第１の流体充填セグメントと、前記ヒール領域内で該ソール構造の外側の側部に沿って延びる第２の流体充填セグメントと、前記第１の流体充填セグメントと前記第２の流体充填セグメントとの間に配置されてそれらを接続するウェブ領域とを、第２の障壁層と協働して画定する第１の障壁層を含み、前記第１の障壁層が、前記ウェブ領域内の前記第２の障壁層に取り付けられている。
【００８７】
第２項：前記第１の流体充填セグメントおよび前記第２の流体充填セグメントが接地面を含む、第１項に記載のソール構造。
【００８８】
第３項：前記ウェブ領域が前記接地面から窪んでいる、第２項に記載のソール構造。 
【００８９】
第４項：前記第１の流体充填セグメントが前記第２の流体充填セグメントに流体結合されている、前項のいずれかに記載のソール構造。
【００９０】
第５項：前記流体充填チャンバが、前記ヒール領域の周りに延在し、前記第１の流体充填セグメントおよび前記第２の流体充填セグメントに流体結合された第３の流体充填セグメントを含む、前項のいずれかに記載のソール構造。
【００９１】
第６項：前記流体充填チャンバが、前記第１の流体充填セグメントと前記第２の流体充填セグメントとの間に延びてそれらに接続された第４の流体充填セグメントを含み、前記第４の流体充填セグメントが、前記内側の側部および前記外側の側部の間に延在している、前項のいずれかに記載のソール構造。
【００９２】
第７項：前記ウェブ領域が、前記第１の流体充填セグメント、前記第２の流体充填セグメント、第３の流体充填セグメント、および、前記第４の流体充填セグメントによって境界付けされている、第６に記載のソール構造。
【００９３】
第８項：前記ウェブ領域が前記アッパーに近接して配置されている、前項のいずれかに記載のソール構造。
【００９４】
第９項：前記流体充填チャンバが、前記第１の流体充填セグメントから当該ソール構造の外側の側部に向かって延びる第５の流体充填セグメントを含む、前項のいずれかに記載のソール構造。
【００９５】
第１０項：前記流体充填チャンバが、前記第２の流体充填セグメントから当該ソール構造の内側の側部に向かって延びる第６の流体充填セグメントを含む、前項のいずれかに記載のソール構造。
【００９６】
第１１項：第５の流体充填セグメントが前記第６の流体充填セグメントと略平行である、第１０項に記載のソール構造。
【００９７】
第１２項：第６の流体充填セグメントが、前記内側の側部および前記外側の側部の間の位置で終端する遠位端を含む、第９〜１１項のいずれかに記載のソール構造。
【００９８】
第１３項：前記遠位端が前記アッパーに向かう方向に先細りしている、第９〜１２項のいずれかに記載のソール構造。
【００９９】
第１４項：第５の流体充填セグメントが前記内側の側部から前記外側の側部に連続して延びている、第１０項のいずれかに記載のソール構造。
【０１００】
第１５項：第５の流体充填セグメントが、前足領域内に前記内側の側部および前記外側の側部の間の位置で終端する遠位端を含む、第９〜１４項のいずれかに記載のソール構造。
【０１０１】
第１６項：前記第５の流体充填セグメントの遠位端が前記アッパーに向かう方向に先細りしている、第１５項に記載のソール構造。
【０１０２】
第１７項：前記流体充填チャンバの一部の上に延びるオーバーモールド部をさらに含む、前項のいずれかに記載のソール構造。
【０１０３】
第１８項：前記オーバーモールド部が前記ヒール領域の上に延びる、第１７項に記載のソール構造。
【０１０４】
第１９項：前記オーバーモールド部が前記中足領域の上に延びる、第１８項に記載のソール構造。
【０１０５】
第２０項：前記オーバーモールド部が前記前足領域の内に延びる、第１９項に記載のソール構造。
【０１０６】
第２１項：前記オーバーモールド部が前記第２の障壁層に結合され、前記第２の障壁層とは異なる厚さ、異なる硬度、および異なる材料の中から少なくとも１つを含む、第１７〜２０項のいずれかに記載のソール構造。
【０１０７】
第２２項：前項のいずれかに記載のソール構造が組み込まれた履物用品。
【０１０８】
第２３項：アッパーを有する履物用品のソール構造は、ヒール領域と、前足領域と、前記ヒール領域と前記前足領域との間に配置された中足領域とを含んでなる。流体充填チャンバは、前記前足領域内で該ソール構造の内側の側部および外側の側部の間に連続的に延びる第１の流体充填セグメントと、前記前足領域内で該ソール構造の前記内側の側部および前記外側の側部の間に連続的に延びる第２の流体充填セグメントと、前記第１の流体充填セグメントと前記第２の流体充填セグメントとの間に配置されてそれらを接続するウェブ領域とを、第２の障壁層と協働して画定する第１の障壁層を含み、前記第１の障壁層が、前記ウェブ領域内の前記第２の障壁層に取り付けられている。
【０１０９】
第２４項：前記第１の流体充填セグメントおよび前記第２の流体充填セグメントが接地面を含む、第２３項に記載のソール構造。
【０１１０】
第２５項：前記ウェブ領域が前記接地面から窪んでいる、第２４項に記載のソール構造。 
【０１１１】
第２６項：前記第１の流体充填セグメントが前記第２の流体充填セグメントに流体結合されている、前項のいずれかに記載のソール構造。
【０１１２】
第２７項：前記流体充填チャンバが、前記内側の側部および前記外側の側部のどちらか一つにそって延在し、前記第１の流体充填セグメントおよび前記第２の流体充填セグメントに流体結合された第３の流体充填セグメントを含む、前項のいずれかに記載のソール構造。
【０１１３】
第２８項：前記第１の流体充填セグメントと前記第２の流体充填セグメントとが、前記内側の側部および前記外側の側部のどちらか一方から前記内側の側部および前記外側の側部の他方の方向に延びる方向に互いに向かって収束している、前項のいずれかに記載のソール構造。
【０１１４】
第２９項：前記ウェブ領域が、前記第１の流体充填セグメントと前記第２の流体充填セグメントとの間で、前記内側の側部および前記外側の側部の他方において延在している、前項のいずれかに記載のソール構造。
【０１１５】
第３０項：前記第１の流体充填セグメントが、前記内側の側部および前記外側の側部の他方で、前記第２の流体充填セグメントから離間している、前項のいずれかに記載のソール構造。
【０１１６】
第３１項：前記ウェブ領域が、第３の流体充填セグメントから前記内側の側部および前記外側の側部の他方に連続的に延びている、前項のいずれかに記載のソール構造。
【０１１７】
第３２項：前記ウェブ領域が、前記第１の流体充填セグメント、前記第２の流体充填セグメント、第３の流体充填セグメント、および、前記内側の側部および前記外側の側部の他方によって、境界付けがされている、第２７〜３１項のいずれかに記載のソール構造。
【０１１８】
第３３項：前記ウェブ領域が前記アッパーに近接して配置されている、前項のいずれかに記載のソール構造。
【０１１９】
第３４項：前記流体充填チャンバが、前記第２の流体充填セグメントから前記内側および前記外側の側部の他方に沿って延びる第４の流体充填セグメントを含む、前項のいずれかに記載のソール構造。
【０１２０】
第３５項：前記流体充填チャンバが、前記第４の流体充填セグメントに流体結合された第５の流体充填セグメントであって、前記内側の側部および前記外側の側部の一方から前記内側の側部および前記外側の側部の他方に向かって延びる第５の流体充填セグメントを含む、前項のいずれかに記載のソール構造。
【０１２１】
第３６項：前記第４の流体充填セグメントが前記第５の流体充填セグメントと略平行である、第３５項に記載のソール構造。
【０１２２】
第３７項：前記第５の流体充填セグメントが、前記内側の側部および前記外側の側部の間の位置で終端する遠位端を含む、第３５または３６項に記載のソール構造。
【０１２３】
第３８項：前記遠位端が前記アッパーに向かう方向に先細りしている、第３５〜３７項のいずれかに記載のソール構造。
【０１２４】
第３９項：前記流体充填チャンバの一部の上に延在するオーバーモールド部をさらに含む、前項のいずれかに記載のソール構造。
【０１２５】
第４０項：前記オーバーモールド部が前記ヒール領域の上に延びる、第３９項に記載のソール構造。
【０１２６】
第４１項：前記オーバーモールド部が前記中足領域の上に延びる、第４０項に記載のソール構造。
【０１２７】
第４２項：前記オーバーモールド部が前記前足領域の内に延びる、第４１項に記載のソール構造。
【０１２８】
第４３項：前記オーバーモールド部が前記第２の障壁層に結合され、前記第２の障壁層とは異なる厚さ、異なる硬度、および異なる材料の中から少なくとも１つを含む、第３９〜４２項のいずれかに記載のソール構造。
【０１２９】
第４４項：前項のいずれかに記載のソール構造が組み込まれた履物用品。
【０１３０】
第４５項：アッパーを有する履物用品のソール構造は、ヒール領域と、前足領域と、前記ヒール領域と前記前足領域との間に配置された中足領域と、を含んでなる。流体充填チャンバは、該ソール構造の内側の側部と該ソール構造の外側の側部のどちらか一つに沿って前記ヒール領域から前記前足領域に延びる第１の流体充填セグメントと、前記内側の側部および前記外側の側部の一方から前記内側の側部および前記外側の側部の他方に延びる第２の流体充填セグメントと、前記内側の側部および前記外側の側部の他方から前記内側の側部および前記外側の側部の一方に延びる第３の流体充填セグメントとを、第２の障壁層と協働して画定する第１の障壁層を含む。
【０１３１】
第４６項：前記第１の流体充填セグメントおよび前記第２の流体充填セグメントが接地面を含む、第４５項に記載のソール構造。
【０１３２】
第４７項：前記接地面が、前記第１の流体充填セグメント、前記第２の流体充填セグメント、および、前記第３の流体充填セグメントに沿って前記ヒール領域から前記前足領域に中断されずに延びている、第４６項に記載のソール構造。
【０１３３】
第４８項：前記第２の流体充填セグメントが、前記内側の側部および前記外側の側部の一方から前記内側の側部および前記外側の側部の他方に連続的に延びている、前項のいずれかに記載のソール構造。
【０１３４】
第４９項：第３の流体充填セグメントが、前記内側の側部および前記外側の側部の他方から前記内側の側部および前記外側の側部の一方に連続的に延びている、前項のいずれかに記載のソール構造。
【０１３５】
第５０項：前記流体充填チャンバが、前記内側の側部および前記外側の側部の他方に沿って延びる第４の流体充填セグメントを含む、前項のいずれかに記載のソール構造。
【０１３６】
第５１項：前記第４の流体充填セグメントが前記第２の流体充填セグメントと前記第３の流体充填セグメントとの間に延在して流体結合している、第５０項に記載のソール構造。
【０１３７】
第５２項：ウェブ領域が接地面から窪んでいる、前項のいずれかに記載のソール構造。
【０１３８】
第５３項：前記第２の流体充填セグメントと前記第３の流体充填セグメントとが、前記内側の側部および前記外側の側部の他方から前記内側の側部および前記外側の側部の一方の方向に延びる方向に互いに向かって収束している、前項のいずれかに記載のソール構造。
【０１３９】
第５４項：ウェブ領域が、前記第２の流体充填セグメントと前記第３の流体充填セグメントとの間で、前記内側の側部および前記外側の側部の一方において延在している、前項のいずれかに記載のソール構造。
【０１４０】
第５５項：前記第２の流体充填セグメントが、前記内側の側部および前記外側の側部の一方で、前記第３の流体充填セグメントから離間している、前項のいずれかに記載のソール構造。
【０１４１】
第５６項：ウェブ領域が、第４の流体充填セグメントから前記内側の側部および前記外側の側部の他方に連続的に延びている、前項のいずれかに記載のソール構造。
【０１４２】
第５７項：ウェブ領域が、前記第２の流体充填セグメント、前記第３の流体充填セグメント、第４の流体充填セグメント、および、前記内側の側部および前記外側の側部の一方によって、境界付けがされている、前項のいずれかに記載のソール構造。
【０１４３】
第５８項：ウェブ領域が前記アッパーに近接して配置されている、前項のいずれかに記載のソール構造。
【０１４４】
第５９項：前記流体充填チャンバが、前記第３の流体充填セグメントから前記内側および前記外側の一方に沿って延びる第５の流体充填セグメントを含む、前項のいずれかに記載のソール構造。
【０１４５】
第６０項：前記流体充填チャンバが、前記第５の流体充填セグメントに流体結合された第６の流体充填セグメントであって、前記内側の側部および前記外側の側部の他方から前記内側の側部および前記外側の側部の一方に向かって延びる第６の流体充填セグメントを含む、前項のいずれかに記載のソール構造。
【０１４６】
第６１項：前記第５の流体充填セグメントが前記第６の流体充填セグメントと略平行である、第６０項に記載のソール構造。
【０１４７】
第６２項：前記第６の流体充填セグメントが、前記内側の側部と前記外側の側部との間の位置で終端する遠位端を含む、第６０または６１項に記載のソール構造。
【０１４８】
第６３項：前記遠位端が前記アッパーに向かう方向に先細りしている、第６０〜６２項のいずれかに記載のソール構造。
【０１４９】
第６４項：前記流体充填チャンバの一部の上に延在するオーバーモールド部をさらに含む、前項のいずれかに記載のソール構造。
【０１５０】
第６５項：前記オーバーモールド部が前記ヒール領域の上に延びる、第６４項に記載のソール構造。
【０１５１】
第６６項：前記オーバーモールド部が前記中足領域の上に延びる、第６５項に記載のソール構造。
【０１５２】
第６７項：前記オーバーモールド部が前記前足領域の内に延びる、第６６項に記載のソール構造。
【０１５３】
第６８項：前記オーバーモールド部が前記第２の障壁層に結合され、前記第２の障壁層とは異なる厚さ、異なる硬度、および異なる材料の中から少なくとも１つを含む、第６４〜６７項のいずれかに記載のソール構造。
【０１５４】
第６９項：前項のいずれかに記載のソール構造が組み込まれた履物用品。
【０１５５】
前述の説明は、例示および説明のために提供されたものである。網羅的であること、または開示を限定することを意図するものではない。特定の構成の個々の要素または特徴は、一般的にその特定の構成に限定されず、適用可能であれば、交換可能で、特に図示または説明されていない場合でも、選択された構成で使用し得る。同じことは、多くの点で変化し得る。そのような変更は、開示からの逸脱とみなされるべきではなく、そのような変更のすべては、本出願の範囲内に含まれることが意図される。
【符号の説明】
【０１５６】
３  屈曲部
５  遠位端
６  フランジ
１０  履物用品
１２  前足領域
１４  中足領域
１６  ヒール領域
１８  外側の側部
２０  内側の側部
１００  アッパー
１０２  内部空洞
１０４  足首開口部
１０６  ファスナ
１１０  舌部
１２０、１２１、１４０、１４１  クッションサポートベクトル
１２０  第３の一連のクッションサポートベクトル
１４０  第２の一連のクッションサポートベクトル
１６０  第１の一連のクッションサポートベクトル
２００  ソール構造
２１０  アウトソール
２１２  接地面
２１４  内面
２１６  インソール
２２０  ストローブル
２２２  底面
２２４  フットベッド
２２６  ステッチング
２３２  接触パッド
２４０  ミッドソール
２４２  底面
２４４  上面
３００  流体充填チャンバ
３０１  上部障壁層、上部層
３０２  下部障壁層、下部層
３０４  オーバーモールド部
３０６  フランジ
３０８  ウェブ領域
３１１〜３２４  流体充填セグメント
【図１】
2019508182.tif 000003
【図２】
2019508182.tif 000004
【図３】
2019508182.tif 000005
【図４】
2019508182.tif 000006
【図５】
2019508182.tif 000007
【図６】
2019508182.tif 000008
【図７】
2019508182.tif 000009
【図８】
2019508182.tif 000010
【図９】
2019508182.tif 000011
【図１０】
2019508182.tif 000012
【図１１】
2019508182.tif 000013
【国際調査報告】
2019508182.tif 000014
2019508182.tif 000015
2019508182.tif 000016
2019508182.tif 000017
2019508182.tif 000018